(57)【要約】【課題】眼鏡装用パラメータの測定にあたり、被検者の顔画像上で測定基準点の位置指定を行う場合に、その測定基準点の位置指定を簡便かつ高精度に行えるようにする。【解決手段】眼鏡フレームを装用した状態の被検者の顔画像を表示する表示画面部１２と、前記表示画面部１２が表示する前記顔画像上での測定基準点を指定する操作部１２ａと、前記操作部１２ａで指定される前記測定基準点に基づいて前記被検者に関する眼鏡装用パラメータを求める情報処理部１４と、を備える眼鏡装用パラメータ測定装置１において、前記表示画面部１２は、前記操作部１２ａによる前記測定基準点の指定にあたり、当該操作部１２ａで指定しようとする点の位置特定の目安となるポインタ画像を前記顔画像に重ねて表示する。そして、前記ポインタ画像は、前記指定しようとする点とその周辺領域の少なくとも一方について当該ポインタ画像の背景となる前記顔画像を視認可能にする透過部を有して構成される。【選択図】図２
2015064700.tif 000002
【特許請求の範囲】
【請求項１】
眼鏡フレームを装用した状態の被検者の顔の撮像結果である顔画像を表示する表示画面部と、
前記表示画面部が表示する前記顔画像上での測定基準点を指定するための操作部と、
前記操作部で指定される前記測定基準点に基づいて前記被検者に関する眼鏡装用パラメータを求める情報処理部と、を備える眼鏡装用パラメータ測定装置であって、
前記表示画面部は、前記操作部による前記測定基準点の指定にあたり、当該操作部で指定しようとする点の位置特定の目安となるポインタ画像を前記顔画像に重ねて表示するものであり、
前記ポインタ画像は、前記指定しようとする点とその周辺領域の少なくとも一方について当該ポインタ画像の背景となる前記顔画像を視認可能にする透過部を有して構成されている
ことを特徴とする眼鏡装用パラメータ測定装置。
【請求項２】
前記ポインタ画像は、前記透過部に加えて、
前記透過部を囲うように配された図形からなる輪郭部と、
前記輪郭部の外方側に延び、前記透過部に存在する前記指定しようとする点の当該透過部内での位置を推認させる図形からなるガイド部と、
を有して構成されていることを特徴とする請求項１記載の眼鏡装用パラメータ測定装置。
【請求項３】
前記ガイド部は、前記被検者の顔側面の角膜形状を模した円弧状図形からなる
ことを特徴とする請求項２記載の眼鏡装用パラメータ測定装置。
【請求項４】
前記表示画面部は、前記ポインタ画像とは別に、前記指定しようとする点およびその周辺領域を拡大して表示する部分拡大ウインドウ画像を、画面内の所定箇所に表示するものである
ことを特徴とする請求項１から３のいずれか１項に記載の眼鏡装用パラメータ測定装置。
【請求項５】
前記情報処理部は、前記顔画像と共にグリッド画像を前記表示画面部に表示させ、前記グリッド画像を利用して前記顔画像についての位置補正処理を行わせる
ことを特徴とする請求項１から４のいずれか１項に記載の眼鏡装用パラメータ測定装置。
【請求項６】
前記操作部は、タッチインタフェースのものである
ことを特徴とする請求項１から５のいずれか１項に記載の眼鏡装用パラメータ測定装置。
【請求項７】
表示画面部、操作部および情報処理部を備えてなるコンピュータを、
眼鏡フレームを装用した状態の被検者の顔の撮像結果である顔画像を前記表示画面部に表示させる表示制御手段と、
前記表示画面部が表示する前記顔画像上での測定基準点を前記操作部で指定させる操作制御手段と、
前記操作部で指定される前記測定基準点に基づいて前記被検者に関する眼鏡装用パラメータを前記情報処理部に求めさせる計測演算手段として機能させるとともに、
前記表示制御手段は、前記操作部による前記測定基準点の指定にあたり、当該操作部で指定しようとする点の位置特定の目安となるポインタ画像を前記顔画像に重ねて前記表示画面部に表示させるものであり、
前記ポインタ画像は、前記指定しようとする点とその周辺領域の少なくとも一方について当該ポインタ画像の背景となる前記顔画像を視認可能にする透過部を有して構成されている
ことを特徴とする眼鏡装用パラメータ測定プログラム。
【請求項８】
眼鏡フレームを装用した状態の被検者の顔の撮像結果である顔画像を用いて前記被検者に関する眼鏡装用パラメータを測定する際に、当該測定に必要となる前記顔画像上の測定基準点を指定するための位置指定方法であって、
前記測定基準点の指定にあたり、前記顔画像上で指定しようとする点の位置特定の目安となるポインタ画像を当該顔画像に重ねて表示するとともに、
前記ポインタ画像として、前記指定しようとする点とその周辺領域の少なくとも一方について当該ポインタ画像の背景となる前記顔画像を視認可能にする透過部を有したものを表示する
ことを特徴とする位置指定方法。
【発明の詳細な説明】
【技術分野】
【０００１】
本発明は、眼鏡装用パラメータについて測定を行う際に用いられる眼鏡装用パラメータ測定装置、眼鏡装用パラメータ測定プログラムおよび位置指定方法に関する。
【背景技術】
【０００２】
一般に、眼鏡レンズの作製には、眼鏡装用者が眼鏡フレームを装用した状態で測定される眼鏡装用パラメータが必要となる。眼鏡装用パラメータとしては、角膜頂点間距離、フレーム前傾角、フィッティングポイント位置、瞳孔間距離、フレーム反り角等がある。
【０００３】
眼鏡装用パラメータの測定は、専用の測定装置を用いて行われる。専用の測定装置としては、例えば、眼鏡フレームを装用した状態の被検者の顔を撮像し、その撮像結果である顔画像を基に、各種眼鏡装用パラメータを演算して求めるように構成されたものがある（例えば、特許文献１参照）。具体的には、特許文献１に開示された測定装置では、画面上でカーソルマークを測定の基準となる点（例えば、被検者の角膜頂点や眼鏡フレーム前枠等）に合わせた上で、その測定基準点の位置に基づいて角膜頂点間距離やフレーム前傾角等の眼鏡装用パラメータを演算して求めるようになっている（例えば、特許文献１の段落「００３３」〜「００３５」の記載参照）。
【先行技術文献】
【特許文献】
【０００４】
【特許文献１】特許第３９７６９２５号公報
【発明の概要】
【発明が解決しようとする課題】
【０００５】
上述したように、眼鏡装用パラメータの測定は、画面上における測定基準点の位置に基づいて行われる。つまり、被検者の顔画像を表示する画面上での測定基準点の位置指定は、眼鏡装用パラメータの測定を行う上で不可欠な処理である。そのため、測定基準点の位置指定は、簡便に行い得ることが望ましい。また、測定基準点の位置は、眼鏡装用パラメータの測定結果に直接的に影響を及ぼすため、その指定が精度よく行われていることが求められる。例えば、角膜頂点間距離を測定する場合であれば、測定基準点の位置が被検者の角膜頂点等に正しく合わせられていることが必要となる。
【０００６】
しかしながら、従来技術では、以下に述べる理由により、必ずしも測定基準点の位置指定を簡便かつ高精度に行えるとは限らない。
測定基準点の位置指定は、カーソルマークを利用して行われる。カーソルマークは、ポインタと呼ばれることもあり、矢印型、手指型、十字型等といった様々な形状の図形画像が用いられ得る。いずれの形状であっても、これらの図形画像（以下、「ポインタ画像」と総称する。）は、指定しようとする点の位置特定の目安となるものである。例えば、矢印型や手指型等であれば先端部分が位置特定の目安となり、十字型であれば交差部分が位置特定の目安となる。
このようなポインタ画像は、指定しようとする点を含む画像（具体的には被検者の顔画像）の上に重ねて表示される。そのため、ポインタ画像の形状によっては、その背景となる画像（すなわち顔画像）において指定しようとする点をポインタ画像が覆い隠してしまうこともあり得る。
このことについては、背景画像が線図等のグラフィックス画像であれば、大きな問題とはならないと考えられる。ところが、写真等の自然画については、グラフィックス画像に比べると、画像中の一部領域においてコントラストが必ずしも十分に高いとは言えず当該領域に存在するエッジ部分等が認識し難いことがあり得る。そのため、ポインタ画像が背景画像を覆い隠してしまうと、そのポインタ画像を用いて指定しようとする点が背景画像中のどの位置にあるかを操作者が視認できず、本来指定すべき点（例えば画像中のエッジ部分に相当する点）から外れた位置を指定しまうといったことが生じ得る。つまり、背景画像が被検者の顔画像である場合、ポインタ画像の形状によっては、そのポインタ画像で指定しようとする点を視認できず、これにより測定基準点の位置指定が不便なものとなったり、必要十分な位置精度を確保できないものとなったりするおそれがある。
【０００７】
そこで、本発明は、眼鏡装用パラメータの測定にあたり、被検者の顔画像上で測定基準点の位置指定を行う場合に、その測定基準点の位置指定を簡便かつ高精度に行うことを可能にする眼鏡装用パラメータ測定装置、眼鏡装用パラメータ測定プログラムおよび位置指定方法を提供することを目的とする。
【課題を解決するための手段】
【０００８】
本発明は、上記目的を達成するために案出されたものである。
本発明の第１の態様は、眼鏡フレームを装用した状態の被検者の顔の撮像結果である顔画像を表示する表示画面部と、前記表示画面部が表示する前記顔画像上での測定基準点を指定するための操作部と、前記操作部で指定される前記測定基準点に基づいて前記被検者に関する眼鏡装用パラメータを求める情報処理部と、を備える眼鏡装用パラメータ測定装置であって、前記表示画面部は、前記操作部による前記測定基準点の指定にあたり、当該操作部で指定しようとする点の位置特定の目安となるポインタ画像を前記顔画像に重ねて表示するものであり、前記ポインタ画像は、前記指定しようとする点とその周辺領域の少なくとも一方について当該ポインタ画像の背景となる前記顔画像を視認可能にする透過部を有して構成されていることを特徴とする眼鏡装用パラメータ測定装置である。
本発明の第２の態様は、第１の態様に記載の眼鏡装用パラメータ測定装置において、前記ポインタ画像は、前記透過部に加えて、前記透過部を囲うように配された図形からなる輪郭部と、前記輪郭部の外方側に延び、前記透過部に存在する前記指定しようとする点の当該透過部内での位置を推認させる図形からなるガイド部と、を有して構成されていることを特徴とする。
本発明の第３の態様は、第２の態様に記載の眼鏡装用パラメータ測定装置において、前記ガイド部は、前記被検者の顔側面の角膜形状を模した円弧状図形からなることを特徴とする。
本発明の第４の態様は、第１から第３の態様のいずれか１態様に記載の眼鏡装用パラメータ測定装置において、前記表示画面部は、前記ポインタ画像とは別に、前記指定しようとする点およびその周辺領域を拡大して表示する部分拡大ウインドウ画像を、画面内の所定箇所に表示するものであることを特徴とする。
本発明の第５の態様は、第１から第４の態様のいずれか１態様に記載の眼鏡装用パラメータ測定装置において、前記情報処理部は、前記顔画像と共にグリッド画像を前記表示画面部に表示させ、前記グリッド画像を利用して前記顔画像についての位置補正処理を行わせることを特徴とする。
本発明の第６の態様は、第１から第５の態様のいずれか１態様に記載の眼鏡装用パラメータ測定装置において、前記操作部は、タッチインタフェースのものであることを特徴とする。
本発明の第７の態様は、表示画面部、操作部および情報処理部を備えてなるコンピュータを、眼鏡フレームを装用した状態の被検者の顔の撮像結果である顔画像を前記表示画面部に表示させる表示制御手段と、前記表示画面部が表示する前記顔画像上での測定基準点を前記操作部で指定させる操作制御手段と、前記操作部で指定される前記測定基準点に基づいて前記被検者に関する眼鏡装用パラメータを前記情報処理部に求めさせる計測演算手段として機能させるとともに、前記表示制御手段は、前記操作部による前記測定基準点の指定にあたり、当該操作部で指定しようとする点の位置特定の目安となるポインタ画像を前記顔画像に重ねて前記表示画面部に表示させるものであり、前記ポインタ画像は、前記指定しようとする点とその周辺領域の少なくとも一方について当該ポインタ画像の背景となる前記顔画像を視認可能にする透過部を有して構成されていることを特徴とする眼鏡装用パラメータ測定プログラムである。
本発明の第８の態様は、眼鏡フレームを装用した状態の被検者の顔の撮像結果である顔画像を用いて前記被検者に関する眼鏡装用パラメータを測定する際に、当該測定に必要となる前記顔画像上の測定基準点を指定するための位置指定方法であって、前記測定基準点の指定にあたり、前記顔画像上で指定しようとする点の位置特定の目安となるポインタ画像を当該顔画像に重ねて表示するとともに、前記ポインタ画像として、前記指定しようとする点とその周辺領域の少なくとも一方について当該ポインタ画像の背景となる前記顔画像を視認可能にする透過部を有したものを表示することを特徴とする位置指定方法である。
【発明の効果】
【０００９】
本発明によれば、眼鏡装用パラメータの測定にあたり、被検者の顔画像上で測定基準点の位置指定を行う場合に、その測定基準点の位置指定を簡便かつ高精度に行うことが可能となる。
【図面の簡単な説明】
【００１０】
【図１】眼鏡装用パラメータの具体例を示す説明図である。
【図２】本発明の一実施形態における眼鏡装用パラメータ測定装置の構成例を示す説明図である。
【図３】本発明の一実施形態における測定補助具の構成例を示す説明図である。
【図４】本発明の一実施形態における眼鏡装用パラメータ測定方法の手順の一例を示すフローチャートである。
【図５】本発明の一実施形態における測定補助具の配置態様の一具体例を示す説明図である。
【図６】本発明の一実施形態における眼鏡装用パラメータ測定装置の撮像ファインダーで表示する内容の具体例を示す説明図であり、被検者の顔を上面から撮像する場合の表示内容を示す図である。
【図７】本発明の一実施形態における眼鏡装用パラメータ測定装置の撮像ファインダーで表示する内容の具体例を示す説明図であり、被検者の顔を側面から撮像する場合の表示内容を示す図である。
【図８】本発明の一実施形態における眼鏡装用パラメータ測定装置の撮像ファインダーで表示する内容の具体例を示す説明図であり、被検者の顔を正面から撮像する場合の表示内容を示す図である。
【図９】本発明の一実施形態における眼鏡装用パラメータ測定装置で測定基準点の指定のために表示するポインタ画像の具体例を示す説明図である。
【図１０】本発明の一実施形態における眼鏡装用パラメータ測定装置で眼鏡装用パラメータを求める際の表示画面部での表示内容の具体例を示す説明図であり、眼鏡装用パラメータのうちのフレーム反り角を求める場合の表示内容を示す図である。
【図１１】本発明の一実施形態における眼鏡装用パラメータ測定装置で眼鏡装用パラメータを求める際の表示画面部での表示内容の具体例を示す説明図であり、眼鏡装用パラメータのうちの角膜頂点間距離およびフレーム前傾角を求める場合の表示内容を示す図である。
【図１２】本発明の一実施形態における眼鏡装用パラメータ測定装置で眼鏡装用パラメータを求める際の表示画面部での表示内容の具体例を示す説明図であり、眼鏡装用パラメータのうちのフィッティングポイント位置を求めるために必要となるレンズ縦幅についての表示内容を示す図である。
【図１３】本発明の一実施形態における眼鏡装用パラメータ測定装置で眼鏡装用パラメータを求める際の表示画面部での表示内容の具体例を示す説明図であり、眼鏡装用パラメータのうちのフィッティングポイント位置および瞳孔間距離を求める場合の表示内容を示す図である。
【図１４】本発明の一実施形態における眼鏡装用パラメータ測定装置で眼鏡装用パラメータを求める際の表示画面部での表示内容の具体例を示す説明図であり、各眼鏡装用パラメータの測定結果についての表示内容を示す図である。
【発明を実施するための形態】
【００１１】
以下、本発明の実施形態を、図面に基づいて説明する。
ここでは、以下のような項分けをして説明を行う。
１．本発明の概要
２．眼鏡装用パラメータの具体例
３．眼鏡装用パラメータ測定装置の構成例
４．測定補助具の構成例
５．眼鏡装用パラメータ測定方法の手順
５−１．手順の概要
５−２．準備段階
５−３．撮像段階
５−４．測定段階
６．本実施形態の効果
７．変形例等
【００１２】
＜１．本発明の概要＞
先ず、本発明の概要について説明する。
本発明は、眼鏡装用パラメータについて測定を行う際に用いられる。さらに詳しくは、眼鏡フレームを装用した状態の被検者の顔を撮像し、その撮像結果である顔画像上にて測定の基準となる点（例えば、被検者の角膜頂点や眼鏡フレーム前枠等）を指定した上で、その測定基準点の位置に基づいて各種眼鏡装用パラメータを演算して求めることで、眼鏡装用パラメータについて測定を行う。
このような眼鏡装用パラメータの測定を、本発明では、装置本体（筐体）が可搬式に構成された眼鏡装用パラメータ測定装置を用いて行う。可搬式であれば、非可搬式の大掛かりな測定装置のような設置スペースを要することがなく、眼鏡店への導入を容易化できるからである。
可搬式の眼鏡装用パラメータ測定装置は、眼鏡装用パラメータの測定者（すなわち被検者に対する検者）が手で持ち運び可能なものであれば、その構成が特に限定されるものではないが、その一例として撮像機能、画像表示機能、操作機能および情報処理機能を備えたコンピュータである携帯型のタブレット端末装置を利用して構成することが考えられる。タブレット端末装置を利用して構成すれば、眼鏡装用パラメータの測定に必要十分な撮像機能、画像表示機能、操作機能および情報処理機能が得られ、しかも近年広く普及しつつあることを鑑みれば低コストで構成することも実現可能となり、眼鏡店への導入を促進する上で非常に好適であると言える。
【００１３】
ところで、例えば携帯型のタブレット端末装置は、操作機能がタッチインタフェースによって構成されることが一般的である。ただし、タッチインタフェースでは、画面上にポインタ画像が現れないものが殆どであり、その画面に表示されている画像上で所望の点を指定しようとしても、正確な指定位置の判別が困難になる可能性がある。
この点につき、本願発明者は、鋭意検討を行った。そして、本願発明者は、タッチインタフェースにおいても、マウスを用いて操作するコンピュータやこれに類する装置等の場合と同様に、画面上にポインタ画像を表示すれば、正確な指定位置の判別が容易になるとの着想を得た。
しかしながら、被検者の顔の撮像結果である顔画像上に重ねてポインタ画像を表示すると、既に説明したように、ポインタ画像の形状によっては、そのポインタ画像で指定しようとする顔画像上の点を視認できず、これにより測定基準点の位置指定が不便なものとなったり、必要十分な位置精度を確保できないものとなったりするおそれがある。このことは、操作機能がタッチインタフェースによる場合のみならず、他の操作インタフェースのコンピュータ等においても、全く同様である。
そこで、本願発明者は、この点につき、さらに鋭意検討を重ねた。そして、本願発明者は、被検者の顔の撮像結果である顔画像に対して、その顔画像上で指定しようとする点の位置特定の目安となるポインタ画像を重ねて表示する場合において、指定しようとする点とその周辺領域の少なくとも一方についてポインタ画像の背景となる顔画像を視認可能にするという、従来にはない新たな着想を得るに至った。このように、顔画像にポインタ画像を重ねて表示し、そのポインタ画像を位置特定の目安として用いれば、顔画像上で指定しようとする点の大まかな位置を合わせることができる。しかも、その場合であっても、指定しようとする点とその周辺領域の少なくとも一方について顔画像が視認可能になっていれば、その顔画像を視認しながら正確な指定位置の判別を行うことができるようになる。
【００１４】
本発明は、上述した本願発明者による新たな着想に基づいてなされたものである。
すなわち、本発明は、眼鏡装用パラメータの測定に必要となる顔画像上の測定基準点の指定にあたり、その顔画像上で指定しようとする点の位置特定の目安となるポインタ画像を当該顔画像に重ねて表示するとともに、ポインタ画像として、指定しようとする点とその周辺領域の少なくとも一方についてポインタ画像の背景となる顔画像を視認可能にする
透過部を有したものを表示することを特徴とする。
このような特徴を有することで、本発明は、眼鏡装用パラメータの測定にあたり、被検者の顔画像上で測定基準点の位置指定を行う場合に、その測定基準点の位置指定を簡便かつ高精度に行うことを実現可能とするのである。
【００１５】
＜２．眼鏡装用パラメータの具体例＞
ここで、眼鏡装用パラメータ測定装置を用いて測定される眼鏡装用パラメータについて説明する。
図１は、眼鏡装用パラメータの具体例を示す説明図である。
【００１６】
本実施形態において測定される眼鏡装用パラメータには、被検者が前記眼鏡フレームを装用した状態における角膜頂点間距離、フレーム前傾角、フィッティングポイント位置、瞳孔間距離およびフレーム反り角が含まれる。
【００１７】
角膜頂点間距離は、図１（ａ）に示すように、被検者（眼鏡装用者）が遠方視したときの視軸を遠方視軸Ａとした場合において、その遠方視軸Ａ上における当該被検者の眼球Ｅの角膜頂点から眼鏡レンズＬの内面までの距離ＣＶＤである。
【００１８】
フレーム前傾角は、一般には眼鏡フレームのテンプルとリムとがなす角度のことを言うが、本実施形態では、図１（ａ）に示すように、遠方視軸Ａと眼鏡レンズＬの外面上で直交する直線Ｌ１と、その遠方視軸Ａ上での眼鏡レンズＬの外面における接線Ｌ２とがなす角度αのことを言う。
【００１９】
フィッティングポイント位置は、図１（ｂ）に示すように、眼鏡フレームのデータムライン（レンズ上下幅の中央に位置する水平線）Ｄからフィッティングポイント（被検者の瞳孔の位置）までの距離ＦＰである。
【００２０】
瞳孔間距離は、図１（ｂ）に示すように、被検者が遠方視したときの左右眼の瞳中心間距離ＰＤである。本実施形態における瞳孔間距離ＰＤには、右眼の瞳孔中心から眼鏡フレームのブリッジの中心までの距離である右眼単眼瞳孔距離ＰＤＲと、左眼の瞳孔中心から眼鏡フレームのブリッジの中心までの距離である左眼単眼瞳孔距離ＰＤＬとが含まれるものとする。
【００２１】
フレーム反り角は、図１（ｃ）に示すように、眼鏡フレームを真上から観察したときに、その眼鏡フレームのリムがブリッジに対してなす角度βである。
【００２２】
これらの眼鏡装用パラメータは、本実施形態における具体例に過ぎない。つまり、眼鏡装用パラメータは、これらに限定されることはなく、これらの少なくとも一つを含んでいればよく、またこれら以外のものを含んでいても構わない。これら以外のものとしては、例えば、近方視角膜頂点間距離、近方視瞳孔間距離、眼球回旋角等が挙げられる。
【００２３】
＜３．眼鏡装用パラメータ測定装置の構成例＞
次に、眼鏡装用パラメータの測定を行う際に用いられる眼鏡装用パラメータ測定装置の構成例について説明する。
図２は、本発明の一実施形態における眼鏡装用パラメータ測定装置の構成例を示す説明図であり、（ａ）は外観斜視図、（ｂ）は機能ブロック図を示している。
【００２４】
図２（ａ）に示すように、本実施形態で説明する眼鏡装用パラメータ測定装置１は、携帯型のタブレット端末装置を利用して構成されている。以下、本実施形態における眼鏡装用パラメータ測定装置１を、単に「タブレット端末」と称す。
【００２５】
タブレット端末１は、眼鏡装用パラメータの測定者（すなわち被検者に対する検者）が手で持ち運び可能な可搬式の装置筐体（本体部）１０を備えている。そして、装置筐体１０には、ＣＣＤ（Charge Coupled Device）センサまたはＣＭＯＳ（Complementary Metal-Oxide Semiconductor）センサを有してなる撮像カメラ部１１と、ＬＣＤ（Liquid Crystal Display）パネル等のフラットパネルディスプレイを有してなる表示画面部１２と、ＣＰＵ（Central Processing Unit）を有してなる情報処理部１４（ただし図２（ａ）には不図示）とが設けられている。そして、表示画面部１２には、タッチインタフェースを実現する操作部１２ａが付設されている。タッチインタフェースとは、表示画面部１２のディスプレイに触れることで操作できるユーザインタフェースのことである。このようなタッチインタフェースにより、操作部１２ａからは、タブレット端末１に対する情報入力を行い得るようになっている。つまり、タブレット端末１は、撮像機能、画像表示機能、操作機能および情報処理機能を備えたコンピュータとして機能するものである。
なお、タッチインタフェースによる操作部１２ａの操作は、図例のようにタッチペンを用いて行うことが考えられるが、操作者の指で直接行うようにしても構わない。また、操作部１２ａは、タッチインタフェースによるものではなく、タブレット端末１に接続されたキーボードやマウス等の情報入力装置を用いるようにしても構わない。
【００２６】
また、タブレット端末１は、図２（ｂ）に示すように、その装置筐体１０内に、撮像カメラ部１１、表示画面部１２および操作部１２ａに加えて、不揮発性メモリからなるメモリ部１３が設けられている。メモリ部１３には、撮像カメラ部１１で得た画像データや操作部１２ａで入力された各種データの他に、情報処理部１４の処理動作に必要となる所定プログラムが記憶される。このメモリ部１３から所定プログラムを読み出して実行することで、情報処理部１４は、撮像制御手段１４ａ、表示制御手段１４ｂ、操作制御手段１４ｃおよび計測演算手段１４ｄとして機能するようになっている。
【００２７】
撮像制御手段１４ａは、撮像カメラ部１１の動作制御を行うものである。撮像カメラ部１１の動作制御には、当該撮像カメラ部１１におけるシャッターの動作タイミング制御が含まれる。具体的には、撮像制御手段１４ａは、眼鏡フレームを装用した状態の被検者の顔を撮像対象とする撮像カメラ部１１に対して、詳細を後述するタイミングで当該撮像カメラ部１１のシャッターを働かせて撮像結果を得るようになっている。
【００２８】
表示制御手段１４ｂは、表示画面部１２の動作制御を行うものである。表示画面部１２の動作制御には、当該表示画面部１２が表示する画像内容についての制御が含まれる。具体的には、表示制御手段１４ｂは、撮像カメラ部１１による撮像対象である被検者の顔画像を表示画面部１２に画像表示させることで、表示画面部１２を撮像カメラ部１１の撮像ファインダーとして機能させる。また、表示制御手段１４ｂは、表示画面部１２による表示画面内に、各種の所定画像を表示させる。所定画像としては、詳細を後述するように、操作部１２ａで指定しようとする点の位置特定の目安となるポインタ画像、そのポインタ画像で指定しようとする点およびその周辺領域を拡大して表示する部分拡大ウインドウ画像、その他各種アイコン画像、表示画面の基準となる方向を示すグリッド画像等が挙げられる。
【００２９】
操作制御手段１４ｃは、操作部１２ａの動作制御を行うものである。操作部１２ａの動作制御には、その操作部１２ａで指定された点の位置認識が含まれる。具体的には、操作制御手段１４ｃは、表示画面部１２が表示する被検者の顔画像上の点を操作部１２ａで指定させることで、眼鏡装用パラメータの測定に必要となる測定基準点の位置を認識するようになっている。
【００３０】
計測演算手段１４ｄは、被検者に関する眼鏡装用パラメータを求めるためのものである。詳しくは、計測演算手段１４ｄは、撮像カメラ部１１で得られた撮像結果を用いつつ、操作部１２ａで指定される測定基準点に基づいて、被検者に関する眼鏡装用パラメータを求める演算処理を行うようになっている。
【００３１】
これらの各手段１４ａ〜１４ｄは、情報処理部１４がメモリ部１３内の所定プログラムを読み出して実行することによって実現される。つまり、タブレット端末１における各手段１４ａ〜１４ｄとしての機能は、メモリ部１３内の所定プログラム（すなわち、本発明に係る眼鏡装用パラメータ測定プログラムの一実施形態）によって実現される。その場合に、眼鏡装用パラメータ測定プログラムは、メモリ部１３内にインストールされて用いられることになるが、そのインストールに先立ち、タブレット端末１で読み取り可能な記憶媒体に格納されて提供されるものであってもよいし、あるいはタブレット端末１と接続する通信回線を通じて当該タブレット端末１へ提供されるものであってもよい。
【００３２】
なお、本実施形態では、装置筐体１０内の情報処理部１４が計測演算手段１４ｄとして機能する場合、すなわち装置筐体１０内にて計測演算手段１４ｄが眼鏡装用パラメータを求める演算処理を行う場合を例に挙げたが、例えばタブレット端末１と接続する無線または有線の通信回線を通じて当該通信回線上の他装置と情報処理部１４が通信可能に構成されている場合には、当該他装置に眼鏡装用パラメータを求める演算処理を行う機能を担わせるようにしても構わない。つまり、タブレット端末１の装置筐体１０には、少なくとも撮像カメラ部１１、表示画面部１２および操作部１２ａが設けられていればよく、情報処理部１４による計測演算手段１４ｄとしての機能等は、いわゆるクラウドコンピューティングのように、通信回線上の他装置に代替させてもよい。
【００３３】
＜４．測定補助具の構成例＞
次に、タブレット端末１を用いて眼鏡装用パラメータの測定を行う際に、そのタブレット端末１と共に用いられる測定補助具について説明する。
図３は、本発明の一実施形態における測定補助具の構成例を示す説明図である。
【００３４】
本実施形態で説明する測定補助具２０は、眼鏡フレームを装用する被検者の眼鏡装用パラメータについて測定を行う際に、タブレット端末１と併せて用いられるものである。より具体的には、眼鏡装用パラメータの測定を行うべく、眼鏡フレームを装用した状態の被検者（眼鏡装用者）の顔を撮像する場合において、その顔と共に撮像されることで、実空間内での物の大きさと撮像画像上での当該物の大きさとを関連付けるキャリブレーション（較正）を可能にするために用いられる。さらには、眼鏡装用パラメータの測定にあたり、被検者の顔に対する撮像動作を制御するための基準の一つとしても用いられる。
【００３５】
そのために、測定補助具２０は、眼鏡フレームを装用した状態の被検者の顔と共に撮像される被撮像面２４を有している。この被撮像面２４には、所定サイズの基準パターンマーク２５が形成されている。
【００３６】
基準パターンマーク２５は、所定形状および所定サイズの図形によって構成されている。
所定形状の図形であれば、基準パターンマーク２５は、例えば一次元方向に延びるものであってもよいが、被撮像面２４上にて二次元の各方向に延びる図形の組み合わせからなるものが望ましい。本実施形態における合わせ基準パターンマーク２５は、図例のように、平面形状が長方形状の被撮像面２４上に、四つの線分を長方形状に配置した図形部分と、これを囲うように三つの線分をコ字状に配置した図形部分とを組み合わせて構成されている。これにより、本実施形態における基準パターンマーク２５は、長辺と短辺が二次元の各方向に延びるＬ字状の図形部分を少なくとも二つ含むことになる。しかも、これらの各図形部分は、対応する長辺同士および短辺同士が互いに平行となる位置関係にある。
また、基準パターンマーク２５を構成する図形は、所定サイズで形成されている。具体的には、本実施形態における基準パターンマーク２５について、長方形状の図形部分およびコ字状の図形部分の被撮像面２４上での各辺の大きさが既知となっている。
基準パターンマーク２５を構成する図形は、撮像画像上で認識可能となるように、被撮像面２４の地色とのコントラストを確保し得る色が付されているものとする。具体的には、例えば被撮像面２４の地色が白色であれば、黒色、青色または赤色等の図形によって基準パターンマーク２５を構成することが考えられる。
なお、ここで挙げた基準パターンマーク２５は単なる一具体例に過ぎず、所定形状および所定サイズの図形によって構成されていれば、他の図形パターンによって構成されていても構わない。
【００３７】
このような被撮像面２４および基準パターンマーク２５は、被検者の顔と共に撮像される位置に配されるように支持される。
この支持状態を実現するために、本実施形態で説明する測定補助具２０は、第一部材２１と、第二部材２２と、連結部２３とを備えて構成されている。
【００３８】
第一部材２１は、例えば平面形状が矩形状（例えば長方形状）の板状材によって形成されており、被検者の顔または当該被検者が装用している眼鏡フレームの少なくとも一方と所定関係の位置に配されるものである。ここでいう「所定関係の位置に配される」とは、当該位置にて当該所定関係を保つように配されることを意味する。また、「所定関係」は、眼鏡装用パラメータの測定に好適となるように予め設定された位置関係のことをいい、その一具体例として被検者の利き目側で当該被検者が装用する眼鏡フレームのテンプルと接する位置関係または当該テンプルの近傍に位置する関係が挙げられる。ただし、ここで挙げたのは一具体例に過ぎず、眼鏡装用パラメータの測定に好適となるように予め設定された位置関係であれば、他の例であっても「所定関係」に該当し得る。このような「所定関係の位置」への配置は、第一部材２１を眼鏡フレームのテンプルに引っ掛けるように構成することで行うようにしてもよいし、第一部材２１をクリップ等の取り付け具を利用して眼鏡フレームのテンプルに取り付けることで行うようにしてもよいし、第一部材２１を眼鏡フレームのテンプルに貼り付けることで行うようにしてもよい。また、眼鏡フレームのテンプルに取り付けるのではなく、検者または被検者のいずれか一方が第一部材２１を手で把持することで行うようにしてもよい。さらには、床や机上等に置かれたスタンドの先端に測定補助具２０を取り付けることで、所定関係の位置への配置を行うようにしてもよい。つまり、第一部材２１の支持固定態様については、特に限定されるものではない。
このような支持固定にあたり、第一部材２１は、例えば樹脂材料を用いて軽量に形成されていることが望ましい。
【００３９】
第二部材２２は、例えば平面形状が第一部材２１と同等の大きさの矩形状（例えば長方形状）の板状材によって形成されている。そして、板状材の一方の面が、基準パターンマーク２５が形成された被撮像面２４となっている。
この第二部材２２についても、第一部材２１と同様に、例えば樹脂材料を用いて軽量に形成されていることが望ましい。
【００４０】
連結部２３は、第一部材２１と第二部材２２とを連結するものである。ただし、連結部２３は、第一部材２１に対する第二部材２２の相対位置を移動可能とし、かつ、その相対位置を任意位置で維持し得るように、第一部材２１と第二部材２２とを連結する。なお、ここでいう「任意位置」には、詳細を後述するように、第二部材２２における被撮像面２４が被検者の顔側面と共に撮像される位置と、第二部材２２における被撮像面２４が被検者の顔正面と共に撮像される位置とが含まれるものとする。
このような連結態様を簡易な構成で実現するために、連結部２３は、第一部材２１と第二部材２２とを所定角度範囲内で回転可能（図中矢印Ｒ参照）にするヒンジ機構によって構成されている。ヒンジ機構は、矩形板状の第一部材２１および第二部材２２の一端縁に配される。これにより、第一部材２１と第二部材２２とは、ヒンジ機構からなる連結部２３を介して連結されるとともに、そのヒンジ機構の連結軸を中心にして互いの成す角度が変化することになる。また、ヒンジ機構であれば、例えば当該ヒンジ機構を構成する連結軸とその軸受け部との嵌め合い寸法の調整により、第一部材２１と第二部材２２との相対位置が移動可能で、かつ、移動後の状態を任意位置で維持し得るような機構を容易に実現することが可能となる。
なお、連結部２３を構成するヒンジ機構についても、連結軸を除き、第一部材２１および第二部材２２と同様に、例えば樹脂材料を用いて軽量に形成されていることが望ましい。
【００４１】
このような構成により、測定補助具２０は、詳細を後述するように、第一部材２１が被検者の顔または当該被検者が装用している眼鏡フレームの少なくとも一方と所定関係の位置に配されると、第二部材２２における被撮像面２４が被検者の顔側面または顔正面と共に撮像される位置に配された状態で支持されることになる。
【００４２】
＜５．眼鏡装用パラメータ測定方法の手順＞
次に、上述した構成のタブレット端末１および測定補助具２０を使用して行う眼鏡装用パラメータ測定方法の手順について説明する。
【００４３】
（５−１．手順の概要）
ここで、先ず、眼鏡装用パラメータ測定方法の手順の概要について説明する。
図４は、本発明の一実施形態における眼鏡装用パラメータ測定方法の手順の一例を示すフローチャートである。
【００４４】
本実施形態で説明する眼鏡装用パラメータ測定方法においては、眼鏡フレームを装用した状態の被検者の顔上面、顔側面または顔正面を選択的に順に撮像し、顔上面の撮像結果である画像を基に眼鏡装用パラメータのうちのフレーム反り角βを求め、顔側面の撮像結果である画像を基に眼鏡装用パラメータのうちの角膜頂点間距離ＣＶＤおよびフレーム前傾角αを求め、顔正面の撮像結果である画像を基に眼鏡装用パラメータのうちのフィッティングポイント位置ＦＰおよび瞳孔間距離ＰＤを求めることで、各眼鏡装用パラメータについて測定を行う。
【００４５】
具体的には、眼鏡装用パラメータの測定者（すなわち眼鏡店の店員等の検者）は、眼鏡フレームを装用した状態の被検者の顔近傍に測定補助具２０を配して撮影準備をするとともに、眼鏡装用パラメータ測定プログラムがアプリケーションプログラムとしてインストールされたタブレット端末１の立ち上げを行う（ステップ１０１、以下ステップを「Ｓ」と略す。）。ここまでは、本実施形態の眼鏡装用パラメータ測定方法における「準備段階」に相当する。
【００４６】
準備段階の後は、検者がタブレット端末１を手に持った状態で、そのタブレット端末１における撮像カメラ部１１を利用して、眼鏡フレームを装用した状態の被検者の顔上面を撮像し（Ｓ１０２）、次いで被検者の顔側面を測定補助具２０の被撮像面２４に描かれた基準パターンマーク２５と共に撮像し（Ｓ１０３）、さらに被検者の顔正面を測定補助具２０の被撮像面２４に描かれた基準パターンマーク２５と共に撮像する（Ｓ１０４）。このとき、被検者の顔上面については検者のシャッターボタン押下により撮像を行うが、被検者の顔側面および顔正面については基準パターンマーク２５を利用しつつ撮像カメラ部１１のオートシャッターを働かせて撮像（オート撮影）を行う。これにより、タブレット端末１は、眼鏡フレームを装用した状態の被検者の顔を、上面、側面および正面の三方向から撮像することになる。ここまでは、本実施形態の眼鏡装用パラメータ測定方法における「撮像段階」に相当する。
【００４７】
撮像段階の後は、検者がタブレット端末１を操作しつつ、撮像段階で得られた撮像結果に基づいて、各種眼鏡装用パラメータの測定を行う。すなわち、タブレット端末１は、被検者の顔上面の撮像結果である画像を基にフレーム反り角βを求める（Ｓ１０５）。また、タブレット端末１は、被検者の顔側面の撮像結果である画像を基に角膜頂点間距離ＣＶＤを求め（Ｓ１０６）、さらにフレーム前傾角αを求める（Ｓ１０７）。また、タブレット端末１は、被検者の顔正面の撮像結果である画像を基に、その被検者が装用している眼鏡フレームのレンズ縦幅の測定を行った上で（Ｓ１０８）、フィッティングポイント位置ＦＰを求め（Ｓ１０９）、さらに瞳孔間距離ＰＤを求める（Ｓ１１０）。そして、タブレット端末１は、このようにして求めた各種眼鏡装用パラメータの測定結果を、例えばメモリ部１３に保存しておく（Ｓ１１１）。ここまでは、本実施形態の眼鏡装用パラメータ測定方法における「測定段階」に相当する。
【００４８】
このように、本実施形態で説明する眼鏡装用パラメータ測定方法では、大別すると準備段階、撮像段階および測定段階の各段階を経て、各眼鏡装用パラメータについての測定を行う。以下、これらの各段階について、さらに詳しく説明する。
【００４９】
（５−２．準備段階）
準備段階では、眼鏡装用パラメータの測定に用いる測定補助具２０を、被検者の顔近傍に配する。さらに詳しくは、被検者の顔または当該被検者が装用している眼鏡フレームの少なくとも一方と所定関係の位置に配する。
図５は、本発明の一実施形態における測定補助具の配置態様の一具体例を示す説明図である。
【００５０】
図５（ａ）は、被検者の顔側面の撮像に対応するための測定補助具２０の配置態様の一具体例を示している。
図例のように、眼鏡フレームＦを装用した状態の被検者の顔側面ＳＦの撮像に対応する場合には、測定補助具２０を閉じた状態、すなわち連結部２３を構成するヒンジ機構の連結軸を中心にして第一部材２１と第二部材２２とが重なるように折り畳んだ状態にしておく（例えば図３（ａ）参照）。そして、第一部材２１と第二部材２２とを折り畳んだ状態のまま、その第一部材２１を被検者の利き目側で当該被検者の顔または当該被検者が装用している眼鏡フレームＦの少なくとも一方と所定関係の位置に配する。さらに詳しくは、連結部２３が眼鏡フレームＦのリムＲ側に位置しつつ、第二部材２２の被撮像面２４が外方側（被検者の顔面側とは反対側）に向くような状態で、第一部材２１を配する。これらの作業は、検者（例えば眼鏡店の店員）が行う。
【００５１】
これにより、測定補助具２０は、第二部材２２の被撮像面２４が、その長辺が眼鏡フレームＦのテンプルＴに沿った方向に延び、その短辺がこれと垂直方向に延びるような姿勢で、被検者の顔の側面側に撮像可能な状態で位置することになる。
このとき、被撮像面２４は、その一端縁が被検者の眼球Ｅの角膜頂点の位置に合致するように配することが考えられるが、必ずしもこれに限定されることはなく、被撮像面２４の一端縁が角膜頂点の位置から離れるようにしても構わない。また、図例では、被撮像面２４が眼鏡フレームＦのテンプルＴの近傍に当該テンプルＴから離れて位置することになる場合を示しているが、これに限定されることはなく、被撮像面２４が眼鏡フレームＦのテンプルＴと接するように配されていても構わない。
【００５２】
図５（ｂ）は、被検者の顔正面の撮像に対応するための測定補助具２０の配置態様の一具体例を示している。
図例のように、眼鏡フレームＦを装用した状態の被検者の顔正面ＦＦの撮像に対応する場合には、被検者の顔側面の撮像に対応するために測定補助具２０の第一部材２１が配された位置（すなわち、被検者の顔または眼鏡フレームＦの少なくとも一方に対して所定関係の位置）を保ったまま、その測定補助具２０の連結部２３を構成するヒンジ機構の連結軸を中心にして第二部材２２を移動させる。そして、測定補助具２０が開いた状態、すなわち連結部２３を支点にして第一部材２１と第二部材２２とが例えば９０°±２０°程度の角度を成す状態にし（例えば図３（ｂ）参照）、その状態を維持しておく。第二部材２２の移動は、検者（例えば眼鏡店の店員）が行う。
【００５３】
これにより、測定補助具２０は、第二部材２２の被撮像面２４が、その長辺が眼鏡フレームＦのデータムラインＤに沿った方向に延び、その短辺がこれと垂直方向に延びるような姿勢で、被検者の顔の正面側に撮像可能な状態で位置することになる。
このとき、被撮像面２４は、被検者の顔側面ＳＦの撮像に対応するために当該被撮像面２４の一端縁が被検者の眼球の角膜頂点の位置に合うように配されていれば、その一端縁側に位置する連結部２３を中心にして第二部材２２が移動するので、その移動後には被検者の眼球の角膜頂点と同一平面上またはこれと同視できる平面上に位置することになる。
【００５４】
なお、ここでは、準備段階として、第一部材２１に対して第二部材２２が移動可能に構成された測定補助具２０を用い、第一部材２１が配された位置を保ったまま第二部材２２を移動させることで、被検者の顔側面ＳＦまたは顔正面ＦＦに選択的に対応する場合を例に挙げたが、測定補助具２０の配置態様がこれに限定されるものではない。つまり、準備段階では、被撮像面２４上の基準パターンマーク２５が被検者の顔側面ＳＦまたは顔正面ＦＦと共に撮像可能な状態にすればよく、被検者の顔側面ＳＦの撮像に対応するときと被検者の顔正面ＦＦの撮像に対応するときとで測定補助具２０を配置し直す（すなわち測定補助具２０の取り付け方を変える）ようにすることも考えられる。その場合には、測定補助具２０は、必ずしも第一部材２１および連結部２３を備えていなくともよく、基準パターンマーク２５が形成された被撮像面２４を有していれば、単板状のものであっても足りる。
【００５５】
（５−３．撮像段階）
準備段階の後に行う撮像段階では、検者がタブレット端末１を手に持った状態で、そのタブレット端末１における撮像カメラ部１１を利用して、眼鏡フレームＦを装用した状態の被検者の顔を、上面、側面および正面の三方向から撮像する。
図６〜図８は、本発明の一実施形態における眼鏡装用パラメータ測定装置の撮像ファインダーで表示する内容の具体例を示す説明図である。
【００５６】
（上面側の撮像）
撮像段階では、先ず、被検者の顔を上面側から撮像する。そのために、撮像を行う検者は、タブレット端末１で所定操作を行って、当該タブレット端末１を上面撮像モードとする。
【００５７】
上面撮像モードとなったタブレット端末１は、表示制御手段１４ｂによる制御に従いつつ、図６（ａ）に示すように、表示画面部１２による撮像ファインダー内に、顔上面の輪郭を表すガイド枠３１と、当該タブレット端末１の装置筐体１０の姿勢の状態を示すアイコン画像３２と、マニュアルで撮像を行うためのシャッターボタン３３とを表示する。また、撮像ファインダー内には、基準となる方向を示す基準線３４を表示してもよい。
【００５８】
この状態で、検者は、タブレット端末１の表示画面部１２が水平面に重なるような姿勢となるように当該タブレット端末１を構え、その表示画面部１２による撮像ファインダー内に表示されているガイド枠３１に、撮像カメラ部１１を通して得られる被検者の顔上面の画像の位置を合わせるようにする。
【００５９】
このとき、撮像ファインダー内にはアイコン画像３２が表示されているので、そのアイコン画像３２を視認することで、検者はタブレット端末１の装置筐体１０の姿勢の状態を把握することが可能となる。具体的には、図６（ｂ）に示すように、タブレット端末１の装置筐体１０の姿勢が水平面に置かれたような状態であると、アイコン画像３２を構成する十字マーク３２ａが尖鋭に表示されるが、当該装置筐体１０の姿勢が傾いた状態であると、その傾き方向に応じて十字マーク３２ａが幅広に表示されることになる。このようなアイコン画像３２の可変表示は、例えばタブレット端末１が有するジャイロセンサの検出結果を基に、表示制御手段１４ｂが公知の画像処理技術を利用することで実現可能である。
【００６０】
そして、装置筐体１０の傾きが予め設定された許容範囲（例えば傾き角が０．１°以下）内に収まり略水平と見做せる姿勢になると、タブレット端末１は、シャッターボタン３３を押下可能な状態になる。その状態で検者がシャッターボタン３３を押下すると、タブレット端末１では、撮像ファインダーに表示されている状態の画像を撮像カメラ部１１が撮像する。この撮像カメラ部１１による撮像結果である画像（すなわち眼鏡フレームＦを装用した状態の被検者の顔上面の画像）は、検者による目視確認の結果、問題がなければ、メモリ部１３内にデータ保存されることになる。
【００６１】
ところで、被検者の顔を上面側から撮像する場合には、上述したように、検者によるシャッターボタン３３の押下を要するマニュアル撮影を行うようになっている。これは、被検者の顔上面を撮像する場合には、タブレット端末１を略水平となる姿勢に構えるため、略垂直方向に構える場合とは異なり、検者がタブレット端末１を手に持って構えても、手ブレの影響による画像の乱れ（ボケ等）が生じ難いからである。つまり、本実施形態では、被検者の顔上面を撮像する場合に、撮像結果にボケや歪み等が生じ難いことから、タブレット端末１がマニュアル撮影を行うように構成されている。ただし、被検者の顔上面を撮像する場合であっても、後述する顔側面または顔正面を撮像する場合のように、オートシャッターを利用した画像取得を行うようにしても構わない。
【００６２】
（側面側の撮像）
撮像段階において、被検者の顔上面の撮像を行った後は、続いて、被検者の顔を側面側から撮像する。そのために、撮像を行う検者は、タブレット端末１で所定操作を行って、当該タブレット端末１を側面撮像モードとする。
【００６３】
側面撮像モードとなったタブレット端末１は、表示制御手段１４ｂによる制御に従いつつ、図７（ａ）に示すように、表示画面部１２による撮像ファインダー内に、顔側面の輪郭を表すガイド枠４１と、当該タブレット端末１の装置筐体１０の姿勢の状態を示すアイコン画像４２と、マニュアル撮影を行うかオート撮影を行うかを選択するためのアイコン画像４３と、マニュアル撮影を行う場合に使用するシャッターボタン４４とを表示する。なお、側面撮像モードでは、アイコン画像４３でマニュアル撮影かオート撮影かが選択されるが、デフォルトでオート撮影が選択されるようにしても構わない。マニュアル撮影を行う場合には、アイコン画像４３での選択切り替えを行った上で、上述した顔上面の場合と同様に撮像を行うことになる。
【００６４】
また、側面撮像モードとなったタブレット端末１は、オート撮影を行うために、表示画面部１２による撮像ファインダー内の所定箇所に、ガイドパターンマーク４５を表示する。このとき、表示画面部１２は、表示制御手段１４ｂによる制御に従いつつ、撮像ファインダー内の所定箇所として、当該撮像ファインダーの画面中心から外れた位置（具体的には、被検者の角膜あたりを画面中心に配した場合における基準パターンマーク２５の位置）に、ガイドパターンマーク４５を表示する。これにより、撮像ファインダー内においては、撮像目的物である被検者の顔測面（特に、被検者の角膜周辺）を画面中心に位置させることが可能となる。
ガイドパターンマーク４５は、被検者の顔側面と共に撮像される基準パターンマーク２５に対応するものである。ここでいう「対応」とは、両マーク２５，４５が同一に、または近似して形成されており、互いを重ね合わせて合致させることが可能であることを意味する。
具体的には、ガイドパターンマーク４５は、被撮像面２４上にて二次元の各方向に延びる図形の組み合わせからなる基準パターンマーク２５に対して、当該基準パターンマーク２５と同じパターン形状に形成されている。さらに詳しくは、四つの線分を長方形状に配置した図形部分と、これを囲うように三つの線分をコ字状に配置した図形部分とを組み合わせて構成された基準パターンマーク２５に対して、ガイドパターンマーク４５は、コ字状図形部分に対応する矩形状パターンと、長方形状図形部分に対応する矩形状パターンとを有するパターン形状に形成されている。
また、ガイドパターンマーク４５は、被撮像面２４上にて所定サイズで形成された基準パターンマーク２５に対して、当該基準パターンマーク２５を撮像カメラ部１１が所定倍率（例えば、縮尺が被検者実像の５０％）かつ所定撮影距離（例えば４００ｍｍ）で撮像したときに撮像ファインダー内で合致するサイズに形成されている。ここでいう「撮影距離」とは、撮像カメラ部１１から被写体までの間の距離である。
このようなガイドパターンマーク４５の表示は、表示制御手段１４ｂが公知の画像処理技術を利用した画像形成処理を行うことで実現すればよい。
なお、撮像ファインダー内には、ガイドパターンマーク４５と併せて、基準となる方向を示す基準線４６を表示してもよい。
【００６５】
その後、検者は、撮像ファインダー内にガイドパターンマーク４５を表示した状態で、タブレット端末１の表示画面部１２が垂直方向に立った姿勢となるように当該タブレット端末１を構える。このとき、撮像ファインダー内には、上述した被検者の顔上面の撮像時と同様に、アイコン画像４２が表示されている。したがって、検者は、そのアイコン画像４２を視認することで、タブレット端末１の装置筐体１０の姿勢の状態を把握することが可能となる。
【００６６】
そして、図７（ｂ）に示すように、検者は、撮像ファインダー内に表示されているガイド枠４１を目安の一つとして、撮像カメラ部１１を通して得られる被検者の顔側面の画像の位置を当該ガイド枠４１に合わせるようにしつつ、さらに撮像ファインダー内に表示されているガイドパターンマーク４５に撮像カメラ部１１を通して得られる基準パターンマーク２５を重ね合わせるようにする。
【００６７】
撮像ファインダー内で基準パターンマーク２５とガイドパターンマーク４５とが合致すると、タブレット端末１では、これを契機としたタイミングで、撮像制御手段１４ａが撮像カメラ部１１のオートシャッターを働かせて、撮像ファインダー内に表示されている被検者の顔側面の画像についての撮像（オート撮影）を行う。つまり、タブレット端末１は、撮像ファインダー内で基準パターンマーク２５とガイドパターンマーク４５とが合致すると、当該合致を契機にオートシャッターを働かせて撮像結果を得るのである。なお、ここでいう「合致」には、両マーク２５，４５が一致して同一視できる場合の他に、各パターンの相違が予め設定された許容範囲内（例えば傾き角が０．１°以下の相当するパターンズレより小さい状態）に収まり両マーク２５，４５を略同一視できると見做せるようになった場合も含む。
【００６８】
このとき、例えば、基準パターンマーク２５が描かれた測定補助具２０の被撮像面２４が撮像カメラ部１１と正対せずに傾いていると、その被撮像面２４上の基準パターンマーク２５のパターン形状が撮像ファインダー内で歪んでしまい、その撮像ファインダー内におけるガイドパターンマーク４５と合致しなくなってしまう。換言すると、撮像ファインダー内のガイドパターンマーク４５に基準パターンマーク２５が合致していれば、被撮像面２４が撮像カメラ部１１と正対している状態にあると言える。そのため、基準パターンマーク２５とガイドパターンマーク４５との合致を契機にして撮像を行えば、傾きが無い状態（すなわち、平面矩形状のタブレット端末１の対向する各端辺部分と被写体との間の距離が一致する状態）での被検者の顔側面の撮像結果が得られる。
特に、基準パターンマーク２５が被撮像面２４上にて二次元の各方向に延びる図形の組み合わせからなり、これに対応するガイドパターンマーク４５も同じく二次元のパターン形状に形成されていれば、当該二次元の各方向のいずれについても、傾きが無い状態とすることができる。
しかも、基準パターンマーク２５が長方形状図形部分とこれを囲うコ字状図形部分とによる二重の図形構造のものであれば、ガイドパターンマーク４５についてもこれに対応したものとすることで、撮像ファインダー内で合致させるべき箇所が複数（二重に）存在することになるので、ガイドパターンマーク４５への基準パターンマーク２５の重ね合わせが行い易くなり、その結果として撮像する際の傾き排除の高精度化が期待できる。
【００６９】
また、このとき、撮像ファインダー内のガイドパターンマーク４５に基準パターンマーク２５が合致していれば、その基準パターンマーク２５が描かれた測定補助具２０の被撮像面２４と撮像カメラ部１１との間の距離が予め想定された所定撮影距離（例えば４００ｍｍ）となる。基準パターンマーク２５が所定サイズで形成されているのに対して、当該基準パターンマーク２５を所定倍率かつ所定撮影距離で撮像したときに撮像ファインダー内で合致するサイズにガイドパターンマーク４５が形成されているからである。そのため、基準パターンマーク２５とガイドパターンマーク４５との合致を契機にして撮像を行えば、基準パターンマーク２５およびその近傍に位置する被検者の顔側面について、タブレット端末１の側で予め想定していた撮像条件による撮像結果が得られる。つまり、撮像カメラ部１１が被検者の顔側面に近づき過ぎたり離れ過ぎたりした状態での撮像が行われることを未然に回避することができ、予め想定していた通りの大きさおよびピント合わせが行われた撮像結果が得られるようになる。
【００７０】
さらに、撮像結果を得る際には、基準パターンマーク２５とガイドパターンマーク４５との合致を契機にオートシャッターを働かせるので、マニュアル撮影でシャッターボタン４４を押下して撮像する場合に比べると、手ブレの影響による画像の乱れ（ボケ等）の発生を抑制することが可能となる。その上、基準パターンマーク２５とガイドパターンマーク４５との合致を契機にオートシャッターを働かせるので、マニュアル撮影でシャッターボタン４４を押下する場合のように撮像をすべきタイミングとボタン押下のタイミングとの間のズレの発生を抑制することも可能となり、本来取得すべき画像が得られるようになる。
【００７１】
このように、タブレット端末１は、撮像ファインダー内で基準パターンマーク２５とガイドパターンマーク４５とが合致すると、当該合致を契機にオートシャッターを働かせて、撮像ファインダーに表示されている状態の画像を撮像カメラ部１１が撮像する。この撮像カメラ部１１による撮像結果である画像（すなわち眼鏡フレームＦを装用した状態の被検者の顔側面の画像）は、検者による目視確認の結果、問題がなければ、メモリ部１３内にデータ保存されることになる。
【００７２】
（正面側の撮像）
撮像段階において、被検者の顔側面の撮像を行った後は、続いて、被検者の顔を正面側から撮像する。そのために、撮像を行う検者は、測定補助具２０の第二部材２２を移動させて被撮像面２４を正面側に向かせるとともに、タブレット端末１で所定操作を行って当該タブレット端末１を正面撮像モードとする。
【００７３】
正面撮像モードとなったタブレット端末１は、表示制御手段１４ｂによる制御に従いつつ、図８（ａ）に示すように、表示画面部１２による撮像ファインダー内に、顔正面の輪郭を表すガイド枠５１と、当該タブレット端末１の装置筐体１０の姿勢の状態を示すアイコン画像５２と、マニュアル撮影を行うかオート撮影を行うかを選択するためのアイコン画像５３と、マニュアル撮影を行う場合に使用するシャッターボタン５４とを表示する。なお、正面撮像モードにおいても、側面撮像モードの場合と同様に、アイコン画像５３でマニュアル撮影かオート撮影かが選択されるが、デフォルトでオート撮影が選択されるようにしても構わない。マニュアル撮影を行う場合には、アイコン画像５３での選択切り替えを行った上で、上述した顔上面の場合と同様に撮像を行うことになる。
【００７４】
また、正面撮像モードとなったタブレット端末１は、オート撮影を行うために、表示画面部１２による撮像ファインダー内の所定箇所に、ガイドパターンマーク５５を表示する。このとき、表示画面部１２は、表示制御手段１４ｂによる制御に従いつつ、撮像ファインダー内の所定箇所として、当該撮像ファインダーの画面中心から外れた位置（具体的には、被検者の左右瞳孔の中心点あたりを画面中心に配した場合における基準パターンマーク２５の位置）に、ガイドパターンマーク５５を表示する。これにより、撮像ファインダー内においては、撮像目的物である被検者の顔正面（特に、被検者の瞳孔周辺）を画面中心に位置させることが可能となる。
ガイドパターンマーク５５は、被検者の顔正面と共に撮像される基準パターンマーク２５に対応するものである。この点は、側面撮像モードにおけるガイドパターンマーク４５と全く同様である。すなわち、ガイドパターンマーク５５は、被撮像面２４上にて二次元の各方向に延びる図形の組み合わせからなる基準パターンマーク２５に対して、当該基準パターンマーク２５と同じパターン形状に形成されている。また、ガイドパターンマーク５５は、被撮像面２４上にて所定サイズで形成された基準パターンマーク２５に対して、当該基準パターンマーク２５を撮像カメラ部１１が所定倍率（例えば、縮尺が被検者実像の５０％）かつ所定撮影距離（例えば４００ｍｍ）で撮像したときに撮像ファインダー内で合致するサイズに形成されている。
このようなガイドパターンマーク５５の表示についても、側面撮像モードの場合と同様に、表示制御手段１４ｂが公知の画像処理技術を利用した画像形成処理を行うことで実現すればよい。
なお、撮像ファインダー内には、ガイドパターンマーク５５と併せて、基準となる方向を示す基準線５６を表示してもよい。
【００７５】
その後、検者は、撮像ファインダー内にガイドパターンマーク５５を表示した状態で、タブレット端末１の表示画面部１２が垂直方向に立った姿勢となるように当該タブレット端末１を構える。このとき、撮像ファインダー内には、上述した被検者の顔上面の撮像時と同様に、アイコン画像５２が表示されている。したがって、検者は、そのアイコン画像５２を視認することで、タブレット端末１の装置筐体１０の姿勢の状態を把握することが可能となる。
【００７６】
そして、図８（ｂ）に示すように、検者は、撮像ファインダー内に表示されているガイド枠５１を目安の一つとして、撮像カメラ部１１を通して得られる被検者の顔正面の画像の位置を当該ガイド枠５１に合わせるようにしつつ、さらに撮像ファインダー内に表示されているガイドパターンマーク５５に撮像カメラ部１１を通して得られる基準パターンマーク２５を重ね合わせるようにする。
【００７７】
撮像ファインダー内で基準パターンマーク２５とガイドパターンマーク５５とが合致すると、タブレット端末１では、これを契機としたタイミングで、撮像制御手段１４ａが撮像カメラ部１１のオートシャッターを働かせて、撮像ファインダー内に表示されている被検者の顔正面の画像についての撮像（オート撮影）を行う。つまり、タブレット端末１は、撮像ファインダー内で基準パターンマーク２５とガイドパターンマーク５５とが合致すると、当該合致を契機にオートシャッターを働かせて撮像結果を得るのである。
【００７８】
したがって、正面撮像モードにおいても、基準パターンマーク２５とガイドパターンマーク５５との合致を契機にしてオート撮影を行うことで、側面撮像モードの場合と同様に、二次元の各方向のいずれについても傾きが無い状態での被検者の顔正面の撮像結果が得られる。また、撮像カメラ部１１が被検者の顔正面に近づき過ぎたり離れ過ぎたりした状態での撮像が行われることを未然に回避することができ、予め想定していた通りの大きさおよびピント合わせが行われた撮像結果が得られるようになる。さらに、基準パターンマーク２５とガイドパターンマーク５５との合致を契機にオートシャッターを働かせるので、マニュアル撮影の場合に比べると、手ブレの影響による画像の乱れ（ボケ等）の発生を抑制することが可能となる。その上、基準パターンマーク２５とガイドパターンマーク５５との合致を契機にオートシャッターを働かせるので、マニュアル撮影でシャッターボタン５４を押下する場合のように撮像をすべきタイミングとボタン押下のタイミングとの間のズレの発生を抑制することも可能となり、本来取得すべき画像が得られるようになる。
【００７９】
このように、タブレット端末１は、撮像ファインダー内で基準パターンマーク２５とガイドパターンマーク５５とが合致すると、当該合致を契機にオートシャッターを働かせて、撮像ファインダーに表示されている状態の画像を撮像カメラ部１１が撮像する。この撮像カメラ部１１による撮像結果である画像（すなわち眼鏡フレームＦを装用した状態の被検者の顔正面の画像）は、検者による目視確認の結果、問題がなければ、メモリ部１３内にデータ保存されることになる。
【００８０】
（５−４．測定段階）
撮像段階の後に行う測定段階では、検者がタブレット端末１を操作しつつ、撮像段階で得られた撮像結果の画像を用いて、各種眼鏡装用パラメータの測定を行う。
【００８１】
（ポインタ画像の具体例）
ここで、測定段階において、タブレット端末１の表示画面部１２が表示制御手段１４ｂによる制御に従いつつ表示するポインタ画像について、具体例を挙げて説明する。
図９は、本発明の一実施形態における眼鏡装用パラメータ測定装置で測定基準点の指定のために表示するポインタ画像の具体例を示す説明図である。
【００８２】
ポインタ画像６０は、操作部１２ａを操作して行う測定基準点の指定にあたり、その操作部１２ａで指定しようとする点の位置特定の目安となる図形画像である。測定基準点を指定する際の目安となるべく、ポインタ画像６０は、表示画面部１２による表示画面内において、その測定基準点を含む被検者の顔画像（すなわち撮像段階で得られた撮像結果）に重ねて表示される。
【００８３】
ところで、ポインタ画像６０は、被検者の顔画像に重ねて表示されることから、既に説明したように、その形状によっては指定しようとする顔画像上の点が視認できなくなるおそれがある。そのために、本実施形態で説明するポインタ画像６０は、以下に述べるような特徴的な構成を有している。本実施形態では、ポインタ画像６０の特徴的な構成として、第一図形パターンと第二図形パターンの二つを例に挙げる。
【００８４】
第一図形パターンのポインタ画像６０は、図９（ａ）に示すように、透過部６１と、輪郭部６２と、ガイド部６３とを有して構成されている。
透過部６１は、ポインタ画像６０を用いて指定しようとする点とその周辺領域の両方について、そのポインタ画像６０の背景となる顔画像を覆うことなく透過させて視認可能にするものである。具体的には、透過部６１は、背景画像を透過させる領域の外延が円形状で、その領域の中心に指定しようとする点が位置するように形成されている。
輪郭部６２は、透過部６１の領域範囲を明確化すべく、その透過部６１を囲うように配された円環状の図形からなるものである。
ガイド部６３は、輪郭部６２の外方側に延び、透過部６１に存在する指定しようとする点の当該透過部６１内での位置を推認させる図形からなるものである。具体的には、ガイド部６３は、被検者の顔側面の角膜形状を模した円弧状図形によって形成されており、その円弧状図形が透過部６１の中心（すなわち指定しようとする点の存在位置）を通過するような位置関係となるように配されている。
輪郭部６２およびガイド部６３の表示色は、背景となる顔画像とのコントラストを確保し得るものであれば特に限定されるものではないが、例えば赤色、青色または緑色等とすることが考えられる。
【００８５】
このような第一図形パターンのポインタ画像６０は、被検者の顔側面における角膜頂点の位置を測定基準点として指定する際に用いられる。具体的には、図９（ｂ）に示すように、被検者の眼球Ｅを側面から見た場合の角膜形状を表示する顔側面画像上において、先ず、その角膜形状にガイド部６３を合わせるようにポインタ画像６０を配する。これにより、ポインタ画像６０で指定しようとする点の顔側面画像上での大まかな位置を合わせることができる。そして、その後は、透過部６１内を視認しつつ、その透過部６１の中心に被検者の角膜頂点が位置しているか否かを確認し、位置していなければポインタ画像６０の位置を微調整する。このように用いられることで、第一図形パターンのポインタ画像６０は、被検者の顔側面における角膜頂点位置を測定基準点として指定する場合に、その測定基準点の位置指定を簡便かつ高精度に行うことを実現可能とするのである。
【００８６】
また、第二図形パターンのポインタ画像６０についても、図９（ｃ）に示すように、透過部６１と、輪郭部６２と、ガイド部６３とを有して構成されている。
透過部６１は、ポインタ画像６０を用いて指定しようとする点の周辺領域について、そのポインタ画像６０の背景となる顔画像を覆うことなく透過させて視認可能にするものである。ただし、ポインタ画像６０を用いて指定しようとする点（すなわち透過部６１の中心点）については、その点の位置を明確化させるべく、点状図形が配されている。
輪郭部６２は、透過部６１の領域範囲を明確化すべく、その透過部６１を囲うように配された円環状の図形からなるものである。
ガイド部６３は、輪郭部６２の外方側に延び、透過部６１に存在する指定しようとする点の当該透過部６１内での位置を推認させる図形からなるものである。具体的には、ガイド部６３は、透過部６１の中心点から放射状に延びる複数の線分図形によって形成されている。
輪郭部６２およびガイド部６３の表示色は、第一図形パターンの場合と同様に、背景となる顔画像とのコントラストを確保し得るものであれば特に限定されるものではないが、例えば赤色、青色または緑色等とすることが考えられる。
なお、輪郭部６２とガイド部６３は、輪郭部６２が細い線幅で形成され、ガイド部６３が太い線幅で形成され、これにより視認性に差（重み付け）が与えられている。
また、輪郭部６２は、図例のようにガイド部６３と繋がらないように切れ目を有して形成されたものであってもよいし、ガイド部６３と繋がるように形成されたものであってもよい。輪郭部６２がガイド部６３との間に切れ目を有して形成されていれば、その背景についての視認性向上が図れる。また、輪郭部６２がガイド部６３と繋がるように形成されていれば、ポインタ画像６０の位置合わせをする際に的が絞り易くなる。
【００８７】
このような第二図形パターンのポインタ画像６０は、被検者の顔側面における角膜頂点位置以外の測定基準点を指定する際に用いられる。すなわち、第一図形パターンのポインタ画像６０を用いて指定する測定基準点以外の測定基準点については、第二図形パターンのポインタ画像６０を用いて指定されることになる。
第二図形パターンのポインタ画像６０を用いた場合であっても、上述した第一図形パターンの場合と同様に、ガイド部６３を利用して大まかな位置を合わせ、透過部６１内を視認しつつポインタ画像６０の位置を正確に調整し得るようになるので、被検者の顔画像上の測定基準点を指定する際に、その測定基準点の位置指定を簡便かつ高精度に行うことが実現可能となる。
【００８８】
なお、本実施形態においては、第一図形パターンと第二図形パターンの二つを例に挙げているが、必ずしもこれに限定されることはなく、ポインタ画像６０として他の図形パターンを用いるようにしても構わない。
また、本実施形態では、ポインタ画像６０で指定しようとする点とその周辺領域の両方を視認可能にする場合（第一図形パターンの場合）と、ポインタ画像６０で指定しようとする点の周辺領域だけを視認可能にする場合（第二図形パターンの場合）とを例に挙げたが、透過部６１はポインタ画像６０で指定しようとする点だけを視認可能にするものであっても構わない。つまり、透過部６１は、ポインタ画像６０で指定しようとする点とその周辺領域の少なくとも一方について、その背景画像を視認可能にするものであればよい。少なくとも一方について背景画像が視認可能であれば、指定位置が正しいか否かを判別できるからである。
【００８９】
（測定段階の具体例）
次に、測定段階において、以上のような構成のポインタ画像６０を用いつつ測定基準点を指定して、その測定基準点に基づいて各種眼鏡装用パラメータの測定を行う手順について、具体的に説明する。なお、以下の説明において、第二図形パターンのポインタ画像６０については、輪郭部６２とガイド部６３が繋がるように形成されたものを用いる場合を例に挙げている。
図１０〜図１４は、本発明の一実施形態における眼鏡装用パラメータ測定装置で眼鏡装用パラメータを求める際の表示画面部での表示内容の具体例を示す説明図である。
【００９０】
（フレーム反り角の測定）
測定段階では、先ず、眼鏡装用パラメータのうちのフレーム反り角βを求める。そのために、測定を行う検者は、タブレット端末１で所定操作を行って、当該タブレット端末１を反り角測定モードとする。
【００９１】
反り角測定モードとなったタブレット端末１は、表示制御手段１４ｂによる制御に従いつつ、図１０（ａ）に示すように、上面撮像モードにて撮像カメラ部１１で得られた撮像結果である被検者の顔上面画像をメモリ部１３内から読み出して表示画面部１２で表示するとともに、その顔上面画像と併せて、所定サイズの格子状に形成されたグリッド画像７１を表示画面部１２で表示する。このグリッド画像７１は、表示画面部１２における表示画面を基準にして（すなわち当該表示画面の長辺および短辺の各方向に沿うように）表示される。さらに、タブレット端末１は、表示画面部１２が表示する被検者の顔上面画像の傾斜状態を調整するためのアイコン画像７２を表示する。ここでいう傾斜状態は、表示画面部１２の画面内での回転方向の傾きの状態のことである。
【００９２】
この状態で、検者は、表示画面部１２が表示するグリッド画像７１を利用して、同じく表示画面部１２が表示する被検者の顔上面画像が画面内で左右に傾斜せず水平であることを確認する。そして、傾斜しているときには、検者は、アイコン画像７２を操作部１２ａで操作して、顔上面画像の傾斜状態を調整する。アイコン画像７２の操作があると、表示制御手段１４ｂは、その操作内容に従いつつ、表示画面部１２が表示する被検者の顔上面画像についての位置補正処理を行う。これにより、表示画面部１２が表示する被検者の顔上面画像は、その画面内で左右に傾斜せず水平である状態となる。
【００９３】
被検者の顔上面画像が表示画面部１２の画面内で水平な状態であれば、その後、タブレット端末１では、表示画面部１２が表示する被検者の顔上面画像を用いつつ、計測演算手段１４ｄがフレーム反り角βを求める演算処理を行う。
そのために、先ず、表示制御手段１４ｂは、図１０（ｂ）に示すように、フレーム反り角βを求めるための測定基準点を検者に指定させるべく、表示画面部１２が第二図形パターンによるポインタ画像７３を被検者の顔上面画像に重ねて表示する。そして、検者は、操作部１２ａを操作して、表示画面部１２の画面内で移動可能なポインタ画像７３を、表示中の顔上面画像上における眼鏡フレームの右側リムの外端および内端並びに左側リムの外端および内端のそれぞれに位置させる。その状態で操作部１２ａによる所定操作（例えば「決定」アイコン画像の押下）があると、それぞれの位置に配されたポインタ画像７３における中心点が、フレーム反り角βを求めるための測定基準点として指定されることになる。このようにして測定基準点を指定する場合に、第二図形パターンによるポインタ画像７３を用いることで、検者は、そのポインタ画像７３の背景となる眼鏡フレームのリムの外端または内端についての画像を視認しながら、そのポインタ画像７３の位置移動を操作することができる。なお、測定基準点を指定にあたり、表示制御手段１４ｂは、検者にとっての利便性および操作性の向上を図るべく、右側リム用と左側リム用とでポインタ画像７３の表示色を相違させるようにしてもよい。
【００９４】
このとき、表示制御手段１４ｂは、検者が画面内で移動させようとするポインタ画像７３に触れると、そのポインタ画像７３とその周辺領域を拡大して表示する部分拡大ウインドウ画像７４を、表示画面部１２の画面内の所定箇所に表示させる。このようにすれば、ポインタ画像７３をタッチインタフェースで操作して移動させる場合であっても、そのタッチインタフェースで触れている箇所が部分拡大ウインドウ画像７４によって当該箇所とは別の所定箇所に拡大表示されるので、検者がポインタ画像７３を移動させて位置合わせする際の操作性向上が図れる。
【００９５】
検者がポインタ画像７３をそれぞれの位置に移動させて、これによりフレーム反り角βを求めるための測定基準点を指定すると、計測演算手段１４ｄは、対応する測定基準点（すなわち外端および内端の各ポインタ画像７３の中心）同士を結ぶ直線と画面内の水平線とがなす角度を、フレーム反り角βとして求める。
【００９６】
このようにして計測演算手段１４ｄが求めたフレーム反り角βは、表示制御手段１４ｂによる制御に従いつつ、表示画面部１２の画面内の所定ウインドウ７５に表示される。そして、その演算処理結果は、検者による確認の結果、問題がなければ、メモリ部１３内にデータ保存されることになる。
【００９７】
（角膜頂点間距離の測定）
測定段階において、フレーム反り角βの測定を行った後は、続いて、眼鏡装用パラメータのうちの角膜頂点間距離ＣＶＤを求める。そのために、測定を行う検者は、タブレット端末１で所定操作を行って、当該タブレット端末１を頂点間距離測定モードとする。
【００９８】
頂点間距離測定モードとなったタブレット端末１は、表示制御手段１４ｂによる制御に従いつつ、図１１（ａ）に示すように、側面撮像モードにて撮像カメラ部１１で得られた撮像結果である被検者の顔側面画像をメモリ部１３内から読み出して表示画面部１２で表示するとともに、その顔側面画像と併せて、所定サイズの格子状に形成されたグリッド画像８１を表示画面部１２で表示する。このグリッド画像８１は、上述した反り角測定モードの場合と同様に、表示画面部１２における表示画面を基準にして（すなわち当該表示画面の長辺および短辺の各方向に沿うように）表示される。さらに、タブレット端末１は、表示画面部１２が表示する被検者の顔側面画像の傾斜状態を調整するためのアイコン画像８２を表示する。
【００９９】
この状態で、検者は、表示画面部１２が表示するグリッド画像８１を利用して、同じく表示画面部１２が表示する被検者の顔側面画像が画面内で左右に傾斜せず水平であることを確認する。そして、傾斜しているときには、検者は、アイコン画像８２を操作部１２ａで操作して、顔側面画像の傾斜状態を調整する。アイコン画像８２の操作があると、表示制御手段１４ｂは、その操作内容に従いつつ、表示画面部１２が表示する被検者の顔側面画像についての位置補正処理を行う。これにより、表示画面部１２が表示する被検者の顔側面画像は、その画面内で左右に傾斜せず水平である状態となる。
【０１００】
被検者の顔側面画像が表示画面部１２の画面内で水平な状態であれば、その後、タブレット端末１では、表示画面部１２が表示する被検者の顔側面画像を用いつつ、計測演算手段１４ｄが角膜頂点間距離ＣＶＤを求める演算処理を行う。
そのために、先ず、表示制御手段１４ｂは、図１１（ｂ）に示すように、角膜頂点間距離ＣＶＤを求めるための測定基準点を検者に指定させるべく、第一図形パターンによるポインタ画像８３および第二図形パターンによるポインタ画像８４を、被検者の顔側面画像に重ねて表示する。
そして、検者は、操作部１２ａを操作して、表示画面部１２の画面内で移動可能な第一図形パターンによるポインタ画像８３を、表示中の顔側面画像上における角膜の頂点に位置させる。このとき、第一図形パターンによるポインタ画像８３を用いることで、検者は、そのポインタ画像８３の背景となる角膜頂点位置についての画像を視認しながら、そのポインタ画像８３の位置移動を操作することができる。
さらに、検者は、操作部１２ａを操作して、その表示画面部１２の画面内で移動可能な第二図形パターンによるポインタ画像８４を、表示中の顔側面画像上における眼鏡フレームのリムの上端および下端に位置させる。このとき、第二図形パターンによるポインタ画像８４を用いることで、検者は、そのポインタ画像８４の背景となる眼鏡フレームのリムの外端または内端についての画像を視認しながら、そのポインタ画像８４の位置移動を操作することができる。
その状態で操作部１２ａによる所定操作（例えば「決定」アイコン画像の押下）があると、角膜頂点位置に配されたポインタ画像８３における中心点が、角膜頂点間距離ＣＶＤを求めるための測定基準点の一つとして指定されるとともに、眼鏡フレームのリムの上端および下端に配されたポインタ画像８４における中心点が、角膜頂点間距離ＣＶＤを求めるための残りの測定基準点として指定されることになる。
【０１０１】
このとき、表示制御手段１４ｂは、検者が画面内で移動させようとするポインタ画像８３，８４に触れると、そのポインタ画像８３，８４とその周辺領域を拡大して表示する部分拡大ウインドウ画像８５を、表示画面部１２の画面内の所定箇所に表示させる。このようにすれば、ポインタ画像８３，８４をタッチインタフェースで操作して移動させる場合であっても、そのタッチインタフェースで触れている箇所が部分拡大ウインドウ画像８５によって当該箇所とは別の所定箇所に拡大表示されるので、検者がポインタ画像８３，８４を移動させて位置合わせする際の操作性向上が図れる。
【０１０２】
検者がポインタ画像８３，８４をそれぞれの位置に移動させて、これにより角膜頂点間距離ＣＶＤを求めるための測定基準点を指定すると、計測演算手段１４ｄは、眼鏡フレームのテンプルまたは基準パターンマーク２５の長辺と平行で、かつ、角膜頂点に位置するポインタ画像８３の中心を通る直線と、眼鏡フレームのリムの上端および下端の各ポインタ画像８４の中心を結ぶ直線との交点を求める。そして、計測演算手段１４ｄは、その交点と角膜頂点に位置するポインタ画像８３の中心との間の距離を、角膜頂点間距離ＣＶＤとして求める。
なお、ここでは、ポインタ画像８４を眼鏡フレームのリムの上端および下端に位置させて角膜頂点間距離ＣＶＤを求める場合を例に挙げたが、必ずしもこれに限定されることはなく、レンズの内面の点（上述した直線どうしの交点に相当）にポインタ画像を位置させ、そのポインタ画像の中心と角膜頂点に位置するポインタ画像８３の中心との間の距離を角膜頂点間距離ＣＶＤとして求めるようにしても構わない。
【０１０３】
このときの角膜頂点間距離ＣＶＤの測定は、表示画面部１２で表示される被検者の顔側面画像上で行う。そのため、角膜頂点間距離ＣＶＤの測定にあたっては、実空間内での大きさと顔側面画像上での大きさとを関連付けるキャリブレーション（較正）が必要となる。
ただし、撮像カメラ部１１で得られた顔側面画像中には、測定補助具２０の被撮像面２４上に形成された基準パターンマーク２５の画像が含まれている。そして、基準パターンマーク２５は、所定サイズの図形によって構成されており、その図形の大きさ（すなわち実空間内での大きさ）が既知となっている。
したがって、角膜頂点間距離ＣＶＤを求める演算処理を行う計測演算手段１４ｄは、基準パターンマーク２５を構成するいずれかの図形部分を用いて、実空間内での大きさと顔側面画像上での大きさとを関連付けるキャリブレーションを行い、顔側面画像上でのスケール変換を行うことが可能となる。
【０１０４】
キャリブレーションに用いる基準パターンマーク２５の図形部分は、ある程度の大きさを有したものであることが望ましい。キャリブレーションの高精度化を図るためである。例えば、画素数が１２００万画素である撮像カメラ部１１を用いて当該撮像カメラ部１１から４００ｍｍ程度の距離に測定補助具２０の被撮像面２４を正対させて当該被撮像面２４を撮像する場合には、キャリブレーションに用いる基準パターンマーク２５の図形部分が６０ｍｍ以上の大きさ（長さ）を有したものであれば、その図形部分の撮像画像上での測長ばらつきを±０．３ｍｍ以内に抑えられる。ところが、それよりも小さいと、測長ばらつきが大きくなってしまうことがわかっている。このことから、基準パターンマーク２５の図形部分は、ある程度の大きさ（例えば６０ｍｍ以上の大きさ）を有したものであることが望ましいのである。
【０１０５】
このようにして計測演算手段１４ｄが求めた角膜頂点間距離ＣＶＤは、表示制御手段１４ｂによる制御に従いつつ、表示画面部１２の画面内の所定ウインドウ８６に表示される。そして、その演算処理結果は、検者による確認の結果、問題がなければ、メモリ部１３内にデータ保存されることになる。
【０１０６】
（フレーム前傾角の測定）
測定段階において、角膜頂点間距離ＣＶＤの測定を行った後は、続いて、眼鏡装用パラメータのうちのフレーム前傾角αを求める。そのために、測定を行う検者は、タブレット端末１で所定操作を行って、当該タブレット端末１を前傾角測定モードとする。
【０１０７】
前傾角測定モードとなったタブレット端末１は、上述した頂点間距離測定モードの場合と全く同様に、被検者の顔側面画像およびグリッド画像８１を表示画面部１２で表示し、その被検者の顔側面画像の傾斜状態を調整可能にする（図１１（ａ）参照）。
【０１０８】
被検者の顔側面画像が表示画面部１２の画面内で水平な状態であれば、その後、タブレット端末１では、表示画面部１２が表示する被検者の顔側面画像を用いつつ、計測演算手段１４ｄがフレーム前傾角αを求める演算処理を行う。
そのために、先ず、表示制御手段１４ｂは、図１１（ｃ）に示すように、フレーム前傾角αを求めるための測定基準点を検者に指定させるべく、表示画面部１２が第二図形パターンによるポインタ画像８４を被検者の顔側面画像に重ねて表示する。そして、検者は、操作部１２ａを操作して、その表示画面部１２の画面内で移動可能なポインタ画像８４を、表示中の顔側面画像上における眼鏡フレームのリムの上端および下端に位置させる。その状態で操作部１２ａによる所定操作（例えば「決定」アイコン画像の押下）があると、それぞれの位置に配されたポインタ画像８４における中心点が、フレーム前傾角αを求めるための測定基準点として指定されることになる。このようにして測定基準点を指定する場合に、第二図形パターンによるポインタ画像８４を用いることで、検者は、そのポインタ画像８４の背景となる眼鏡フレームのリムの外端または内端についての画像を視認しながら、そのポインタ画像８４の位置移動を操作することができる。
【０１０９】
このとき、表示制御手段１４ｂは、検者が画面内で移動させようとするポインタ画像８４に触れると、そのポインタ画像８４とその周辺領域を拡大して表示する部分拡大ウインドウ画像８５を、表示画面部１２の画面内の所定箇所に表示させる。このようにすれば、ポインタ画像８４をタッチインタフェースで操作して移動させる場合であっても、そのタッチインタフェースで触れている箇所が部分拡大ウインドウ画像８５によって当該箇所とは別の所定箇所に拡大表示されるので、検者がポインタ画像８４を移動させて位置合わせする際の操作性向上が図れる。
【０１１０】
検者がポインタ画像８４をそれぞれの位置に移動させて、これによりフレーム前傾角αを求めるための測定基準点を指定すると、計測演算手段１４ｄは、眼鏡フレームのリムの上端および下端の各ポインタ画像８４の中心を結ぶ直線と画面内の鉛直線とがなす角度を、フレーム前傾角αとして求める。
【０１１１】
このようにして計測演算手段１４ｄが求めたフレーム前傾角αは、表示制御手段１４ｂによる制御に従いつつ、表示画面部１２の画面内の所定ウインドウ８７に表示される。そして、その演算処理結果は、検者による確認の結果、問題がなければ、メモリ部１３内にデータ保存されることになる。
【０１１２】
（レンズ縦幅の測定）
測定段階において、フレーム前傾角αの測定を行った後は、続いて、眼鏡装用パラメータのうちのフィッティングポイント位置ＦＰを求めるために必要となるレンズ縦幅を求める。そのために、測定を行う検者は、タブレット端末１で所定操作を行って、当該タブレット端末１を縦幅測定モードとする。
【０１１３】
縦幅測定モードとなったタブレット端末１は、表示制御手段１４ｂによる制御に従いつつ、図１２（ａ）に示すように、正面撮像モードにて撮像カメラ部１１で得られた撮像結果である被検者の顔正面画像をメモリ部１３内から読み出して表示画面部１２で表示するとともに、その顔正面画像と併せて、所定サイズの格子状に形成されたグリッド画像９１を表示画面部１２で表示する。このグリッド画像９１は、上述した反り角測定モードまたは頂点間距離測定モードの場合と同様に、表示画面部１２における表示画面を基準にして（すなわち当該表示画面の長辺および短辺の各方向に沿うように）表示される。さらに、タブレット端末１は、表示画面部１２が表示する被検者の顔正面画像の傾斜状態を調整するためのアイコン画像９２を表示する。
【０１１４】
この状態で、検者は、表示画面部１２が表示するグリッド画像９１を利用して、同じく表示画面部１２が表示する被検者の顔正面画像が画面内で左右に傾斜せず水平であることを確認する。そして、傾斜しているときには、検者は、アイコン画像９２を操作部１２ａで操作して、顔正面画像の傾斜状態を調整する。アイコン画像９２の操作があると、表示制御手段１４ｂは、その操作内容に従いつつ、表示画面部１２が表示する被検者の顔正面画像についての位置補正処理を行う。これにより、表示画面部１２が表示する被検者の顔正面画像は、その画面内で左右に傾斜せず水平である状態となる。
【０１１５】
被検者の顔正面画像が表示画面部１２の画面内で水平な状態であれば、その後、タブレット端末１では、表示画面部１２が表示する被検者の顔正面画像を用いつつ、計測演算手段１４ｄがレンズ縦幅を求める演算処理を行う。
そのために、先ず、表示制御手段１４ｂは、図１２（ｂ）に示すように、レンズ縦幅を求めるための測定基準点を検者に指定させるべく、表示画面部１２が第二図形パターンによるポインタ画像９３を被検者の顔正面画像に重ねて表示する。そして、検者は、操作部１２ａを操作して、表示画面部１２の画面内で移動可能なポインタ画像９３を、表示中の顔正面画像上における眼鏡フレームのリムの上端および下端に位置させる。その状態で操作部１２ａによる所定操作（例えば「決定」アイコン画像の押下）があると、それぞれの位置に配されたポインタ画像９３における中心点が、レンズ縦幅を求めるための測定基準点として指定されることになる。このようにして測定基準点を指定する場合に、第二図形パターンによるポインタ画像９３を用いることで、検者は、そのポインタ画像９３の背景となる眼鏡フレームのリムの外端または内端についての画像を視認しながら、そのポインタ画像９３の位置移動を操作することができる。
【０１１６】
このとき、表示制御手段１４ｂは、検者が画面内で移動させようとするポインタ画像９３に触れると、そのポインタ画像９３とその周辺領域を拡大して表示する部分拡大ウインドウ画像９４を、表示画面部１２の画面内の所定箇所に表示させる。このようにすれば、ポインタ画像９３をタッチインタフェースで操作して移動させる場合であっても、そのタッチインタフェースで触れている箇所が部分拡大ウインドウ画像９４によって当該箇所とは別の所定箇所に拡大表示されるので、検者がポインタ画像９３を移動させて位置合わせする際の操作性向上が図れる。
【０１１７】
検者がポインタ画像９３をそれぞれの位置に移動させて、これによりレンズ縦幅を求めるための測定基準点を指定すると、計測演算手段１４ｄは、眼鏡フレームのリムの上端および下端の各ポインタ画像９３の中心同士の鉛直方向の距離を、レンズ縦幅として求める。
【０１１８】
このときのレンズ縦幅の測定は、表示画面部１２で表示される被検者の顔正面画像上で行うため、実空間内での大きさと顔正面画像上での大きさとを関連付けるキャリブレーション（較正）が必要となる。このキャリブレーションについては、撮像カメラ部１１で得られた顔正面画像中に基準パターンマーク２５の画像が含まれているため、上述した角膜頂点間距離ＣＶＤの場合と全く同様に、その基準パターンマーク２５を構成するいずれかの図形部分を用いて行うことが可能である。
【０１１９】
このようにして計測演算手段１４ｄが求めたレンズ縦幅は、表示制御手段１４ｂによる制御に従いつつ、表示画面部１２の画面内の所定ウインドウ９５に表示される。そして、その演算処理結果は、検者による確認の結果、問題がなければ、メモリ部１３内にデータ保存されることになる。
【０１２０】
（フィッティングポイントの測定）
測定段階において、レンズ縦幅の測定を行った後は、続いて、眼鏡装用パラメータのうちのフィッティングポイント位置ＦＰを求める。そのために、測定を行う検者は、タブレット端末１で所定操作を行って、当該タブレット端末１をフィッティングポイント測定モードとする。
【０１２１】
フィッティングポイント測定モードとなったタブレット端末１は、上述した縦幅測定モードの場合と全く同様に、被検者の顔正面画像およびグリッド画像９１を表示画面部１２で表示し、その被検者の顔側面画像の傾斜状態を調整可能にする（図１２（ａ）参照）。
【０１２２】
被検者の顔正面画像が表示画面部１２の画面内で水平な状態であれば、その後、タブレット端末１では、表示画面部１２が表示する被検者の顔正面画像を用いつつ、計測演算手段１４ｄがフィッティングポイント位置ＦＰを求める演算処理を行う。
そのために、先ず、表示制御手段１４ｂは、図１３（ａ）に示すように、フィッティングポイント位置ＦＰを求めるための測定基準点を検者に指定させるべく、表示画面部１２が第二図形パターンによるポインタ画像９６を被検者の顔正面画像に重ねて表示する。そして、検者は、操作部１２ａを操作して、表示画面部１２の画面内で移動可能なポインタ画像９６を、表示中の顔正面画像上における左右眼の瞳孔の中心に位置させる。その状態で操作部１２ａによる所定操作（例えば「決定」アイコン画像の押下）があると、それぞれの位置に配されたポインタ画像９６における中心点が、フィッティングポイント位置ＦＰを求めるための測定基準点として指定されることになる。このようにして測定基準点を指定する場合に、第二図形パターンによるポインタ画像９６を用いることで、検者は、そのポインタ画像９６の背景となる左右眼の瞳孔についての画像を視認しながら、そのポインタ画像９６の位置移動を操作することができる。なお、測定基準点を指定にあたり、表示制御手段１４ｂは、検者にとっての利便性および操作性の向上を図るべく、右眼瞳孔用と左眼瞳孔用とでポインタ画像９６の表示色を相違させるようにしてもよい。
【０１２３】
このとき、表示制御手段１４ｂは、検者が画面内で移動させようとするポインタ画像９６に触れると、そのポインタ画像９６とその周辺領域を拡大して表示する部分拡大ウインドウ画像９４を、表示画面部１２の画面内の所定箇所に表示させる。このようにすれば、ポインタ画像９６をタッチインタフェースで操作して移動させる場合であっても、そのタッチインタフェースで触れている箇所が部分拡大ウインドウ画像９４によって当該箇所とは別の所定箇所に拡大表示されるので、検者がポインタ画像９６を移動させて位置合わせする際の操作性向上が図れる。
【０１２４】
また、このとき、表示制御手段１４ｂは、縦幅測定モードで得られたレンズ縦幅の測定結果に基づいて、眼鏡フレームのデータムラインを表示画面部１２の画面内に表示させる。具体的には、表示制御手段１４ｂは、レンズ縦幅の測定結果から当該レンズ縦幅の鉛直方向における中点の位置を算出し、その中点を通る水平線をデータムラインとして表示画面部１２に表示させる。
【０１２５】
その後、計測演算手段１４ｄは、瞳孔中心に位置するポインタ画像９６の中心を通る水平線とデータムラインとの間の鉛直方向における距離を、フィッティングポイント位置ＦＰとして求める。なお、瞳孔中心に位置するポインタ画像９６の中心を通る水平線が左右眼で異なる場合には、利き目側の距離をフィッティングポイント位置ＦＰとすることが考えられるが、左右眼のそれぞれについての距離の平均値をフィッティングポイント位置ＦＰとしても構わない。
【０１２６】
このときのフィッティングポイント位置ＦＰの測定は、表示画面部１２で表示される被検者の顔正面画像上で行うため、実空間内での大きさと顔正面画像上での大きさとを関連付けるキャリブレーション（較正）が必要となる。このキャリブレーションについては、撮像カメラ部１１で得られた顔正面画像中に基準パターンマーク２５の画像が含まれているため、上述した角膜頂点間距離ＣＶＤまたはレンズ縦幅の場合と全く同様に、その基準パターンマーク２５を構成するいずれかの図形部分を用いて行うことが可能である。
【０１２７】
このようにして計測演算手段１４ｄが求めたフィッティングポイント位置ＦＰは、表示制御手段１４ｂによる制御に従いつつ、表示画面部１２の画面内の所定ウインドウ９７に表示される。そして、その演算処理結果は、検者による確認の結果、問題がなければ、メモリ部１３内にデータ保存されることになる。
【０１２８】
（瞳孔間距離の測定）
測定段階において、フィッティングポイント位置ＦＰの測定を行った後は、続いて、眼鏡装用パラメータのうちの瞳孔間距離ＰＤを求める。そのために、測定を行う検者は、タブレット端末１で所定操作を行って、当該タブレット端末１を瞳孔間距離測定モードとする。
【０１２９】
瞳孔間距離測定モードとなったタブレット端末１は、上述した縦幅測定モードまたはフィッティングポイント測定モードの場合と全く同様に、被検者の顔正面画像およびグリッド画像９１を表示画面部１２で表示し、その被検者の顔側面画像の傾斜状態を調整可能にする（図１２（ａ）参照）。
【０１３０】
被検者の顔正面画像が表示画面部１２の画面内で水平な状態であれば、その後、タブレット端末１では、表示画面部１２が表示する被検者の顔正面画像を用いつつ、計測演算手段１４ｄが瞳孔間距離ＰＤを求める演算処理を行う。
そのために、先ず、表示制御手段１４ｂは、図１３（ｂ）に示すように、瞳孔間距離ＰＤを求めるための測定基準点を検者に指定させるべく、表示画面部１２が第二図形パターンによるポインタ画像９６を被検者の顔正面画像に重ねて表示する。そして、検者は、操作部１２ａを操作して、その表示画面部１２の画面内で移動可能なポインタ画像９６を、表示中の顔正面画像上における左右眼の瞳孔の中心に位置させる。その状態で操作部１２ａによる所定操作（例えば「決定」アイコン画像の押下）があると、それぞれの位置に配されたポインタ画像９６における中心点が、瞳孔間距離ＰＤを求めるための測定基準点として指定されることになる。このようにして測定基準点を指定する場合に、第二図形パターンによるポインタ画像９６を用いることで、検者は、そのポインタ画像９６の背景となる左右眼の瞳孔についての画像を視認しながら、そのポインタ画像９６の位置移動を操作することができる。なお、測定基準点を指定にあたり、表示制御手段１４ｂは、検者にとっての利便性および操作性の向上を図るべく、右眼瞳孔用と左眼瞳孔用とでポインタ画像９６の表示色を相違させるようにしてもよい。
【０１３１】
このとき、表示制御手段１４ｂは、検者が画面内で移動させようとするポインタ画像９６に触れると、そのポインタ画像９６とその周辺領域を拡大して表示する部分拡大ウインドウ画像９４を、表示画面部１２の画面内の所定箇所に表示させる。このようにすれば、ポインタ画像９６をタッチインタフェースで操作して移動させる場合であっても、そのタッチインタフェースで触れている箇所が部分拡大ウインドウ画像９４によって当該箇所とは別の所定箇所に拡大表示されるので、検者がポインタ画像９６を移動させて位置合わせする際の操作性向上が図れる。
【０１３２】
検者がポインタ画像９６を瞳孔中心位置に移動させて、これにより瞳孔間距離ＰＤを求めるための測定基準点を指定すると、計測演算手段１４ｄは、左右眼それぞれの各ポインタ画像９６の中心同士の水平方向の距離を、瞳孔間距離ＰＤとして求める。この瞳孔間距離ＰＤについては、右眼単眼瞳孔距離ＰＤＲおよび左眼単眼瞳孔距離ＰＤＬとして求めるようにしてもよい。具体的には、計測演算手段１４ｄは、眼鏡フレームのブリッジの中心を通る鉛直線の位置を認識した上で、その鉛直線と右眼についてのポインタ画像９６の中心との水平方向の距離を右眼単眼瞳孔距離ＰＤＲとして求め、その鉛直線と左眼についてのポインタ画像９６の中心との水平方向の距離を左眼単眼瞳孔距離ＰＤＬとして求める。
【０１３３】
このときの瞳孔間距離ＰＤＲ，ＰＤＬの測定は、表示画面部１２で表示される被検者の顔正面画像上で行うため、実空間内での大きさと顔正面画像上での大きさとを関連付けるキャリブレーション（較正）が必要となる。このキャリブレーションについては、撮像カメラ部１１で得られた顔正面画像中に基準パターンマーク２５の画像が含まれているため、上述した角膜頂点間距離ＣＶＤ、レンズ縦幅またはフィッティングポイント位置ＦＰの場合と全く同様に、その基準パターンマーク２５を構成するいずれかの図形部分を用いて行うことが可能である。
【０１３４】
このようにして計測演算手段１４ｄが求めた瞳孔間距離ＰＤＲ，ＰＤＬは、表示制御手段１４ｂによる制御に従いつつ、表示画面部１２の画面内の所定ウインドウ９８に表示される。そして、その演算処理結果は、検者による確認の結果、問題がなければ、メモリ部１３内にデータ保存されることになる。
【０１３５】
（測定結果の保存）
以上に説明した測定段階で求めた各種眼鏡装用パラメータは、被検者を識別する情報（例えば被検者の氏名)と関連付けてメモリ部１３内にデータ保存されることになる。そして、タブレット端末１は、必要に応じて（例えば当該タブレット端末１で所定操作があったとき）、メモリ部１３内から各種眼鏡装用パラメータを読み出して、例えば図１４に示すような一覧形式で出力する。出力先としては、一覧形式で表示出力を行う表示画面部１２が挙げられるが、これに限定されることはなく、タブレット端末１と通信回線を通じて接続する当該通信回線上の他装置に対して出力することも考えられる。
【０１３６】
＜６．本実施形態の効果＞
本実施形態で説明したタブレット端末１、当該タブレット端末１の特徴的な機能を実現する眼鏡装用パラメータ測定プログラム、および、当該タブレット端末１を用いて行う位置指定方法によれば、以下のような効果が得られる。
【０１３７】
本実施形態によれば、可搬式のタブレット端末１を利用して、各種眼鏡装用パラメータの測定を行う。そのため、非可搬式の大掛かりな測定装置のような設置スペースを要することがなく、眼鏡店への導入を容易化できる。この点で、各種眼鏡装用パラメータの測定を行う検者（眼鏡店の店員等）にとっては、利便性に優れたものとなる。
【０１３８】
また、本実施形態では、各種眼鏡装用パラメータの測定にあたり、タブレット端末１で表示される被検者の顔画像上にて測定基準点を指定し、その指定した測定基準点の位置に基づいてタブレット端末１が各種眼鏡装用パラメータを演算して求める。そして、タブレット端末１において測定基準点を指定する際には、指定しようとする点の位置特定の目安となるポインタ画像６０，７３，８３，８４，９３，９６を、顔画像に重ねて表示する。
したがって、本実施形態によれば、顔画像にポインタ画像６０，７３，８３，８４，９３，９６を重ねて表示するので、そのポインタ画像を位置特定の目安として用いることが可能となり、これにより顔画像上で指定しようとする点の大まかな位置を合わせることができる。つまり、ポインタ画像６０，７３，８３，８４，９３，９６を表示しない場合に比べると、顔画像上で所望の点を指定しようとする際の正確な指定位置の判別が容易になる。
【０１３９】
しかも、本実施形態では、顔画像に重ねて表示されるポインタ画像６０，７３，８３，８４，９３，９６が透過部６１を有して構成されている。つまり、ポインタ画像６０，７３，８３，８４，９３，９６は、指定しようとする点とその周辺領域の少なくとも一方について、背景となる顔画像を視認可能とするようになっている。
したがって、本実施形態によれば、顔画像にポインタ画像６０，７３，８３，８４，９３，９６を重ねて表示しても、そのポインタ画像６０，７３，８３，８４，９３，９６で指定しようとする点とその周辺領域の少なくとも一方について、背景となる顔画像を視認しながら正確な指定位置の判別を行うことができるようになる。つまり、透過部６１内を視認しつつ、その透過部６１の中心に測定基準点が位置しているか否かを確認し、位置していなければポインタ画像６０，７３，８３，８４，９３，９６の位置を微調整する、といったことが実現可能となる。そのため、眼鏡装用パラメータの測定にあたり、被検者の顔画像上で測定基準点の位置指定を行う場合に、本実施形態で説明したポインタ画像６０，７３，８３，８４，９３，９６を用いて位置指定を行えば、その測定基準点の位置指定を簡便かつ高精度に行うことが実現可能となる。
【０１４０】
また、本実施形態で説明したポインタ画像６０，７３，８３，８４，９３，９６は、透過部６１に加えて、輪郭部６２とガイド部６３とを有して構成されている。つまり、ポインタ画像６０，７３，８３，８４，９３，９６は、輪郭部６２を有しているので、透過部６１の領域範囲が明確である。さらに、ガイド部６３を有しているので、ポインタ画像６０，７３，８３，８４，９３，９６で指定しようとする点の透過部６１内での位置を推認することができる。これらのことから、本実施形態で説明したポインタ画像６０，７３，８３，８４，９３，９６を用いて位置指定を行えば、輪郭部６２およびガイド部６３を活用することで、これらが無い場合に比べて、測定基準点の位置指定をより一層簡便かつ高精度に行うことが実現可能となる。
【０１４１】
特に、本実施形態で説明したように、ポインタ画像６０，８３のガイド部６３が被検者の顔側面の角膜形状を模した円弧状図形からなるものであれば、被検者の顔側面における角膜頂点位置を測定基準点として指定する場合に用いて非常に好適である。例えば、角膜頂点位置を測定基準点として指定する場合には、角膜頂点の近傍領域においてコントラストが必ずしも十分に高いとは言えず当該領域に存在するエッジ部分等が認識し難いこともあり得る。そのような場合であっても、本実施形態によれば、角膜形状にガイド部６３を合わせるようにポインタ画像６０，８３を配することで、そのポインタ画像６０，８３で指定しようとする点の顔側面画像上での大まかな位置を合わせることができ、その上で透過部６１内を視認しつつその中心に角膜頂点位置があるか否かを確認すればよいので、その測定基準点の位置指定を簡便かつ高精度に行うことが確実に実現できるようになる。
【０１４２】
また、本実施形態によれば、ポインタ画像６０，７３，８３，８４，９３，９６とは別に、部分拡大ウインドウ画像７４，８５，９４を表示画面部１２の画面内の所定箇所に表示するので、検者がポインタ画像６０，７３，８３，８４，９３，９６を移動させて位置合わせする際の操作性向上が図れる。このことは、特に、ポインタ画像６０，７３，８３，８４，９３，９６をタッチインタフェースで操作して移動させる場合に非常に有効となる。タッチペンまたは指で触れている状態であっても、部分拡大ウインドウ画像７４，８５，９４を表示することで、その触れている箇所を視認できるようになるからである。
【０１４３】
ところで、本実施形態では、タブレット端末１の表示画面部１２で表示される被検者の顔画像上にて測定基準点を指定し、その指定した測定基準点の位置に基づいて各種眼鏡装用パラメータを演算して求める。ただし、表示画面部１２で表示される顔画像は、検者がタブレット端末１を手に持った状態や被検者の顔近傍への測定補助具２０の配置状態等の影響によって、表示画面部１２の画面内で回転方向に傾斜してしまうこともあり得る。
この点、本実施形態においては、撮像カメラ部１１で得られた撮像結果をグリッド画像７１，８１，９１と共に表示画面部１２に表示させ、そのグリッド画像７１，８１，９１を利用して当該撮像結果についての位置補正処理を行うようになっている。そのため、本実施形態によれば、タブレット端末１が可搬式であるが故に、または被検者の顔近傍へ配置する測定補助具２０の基準パターンマーク２５を利用するが故に、撮像結果が表示画面部１２の画面内で回転方向に傾斜し得る場合であっても、グリッド画像７１，８１，９１を利用した位置補正処理を行うことで、その傾斜状態を補正して表示画面部１２の画面内で水平な状態にすることができる。つまり、表示画面部１２が表示する被検者の顔画像がその画面内で回転方向に傾斜せず水平である状態を確認した上で、その顔画像上にて測定基準点を指定することになるので、その後に行う各種眼鏡装用パラメータ測定を精度良く行うことが実現可能となる。
【０１４４】
また、本実施形態では、操作部１２ａがタッチインタフェースによるものなので、ポインタ画像６０，７３，８３，８４，９３，９６等の画面上の操作対象に触れて直接的に操作できるという、明快な操作性を実現することが可能である。しかも、その場合であっても、画面上で指定しようとする点の位置特定の目安となるポインタ画像６０，７３，８３，８４，９３，９６を表示するとともに、その背景画像が視認可能となるようにしているので、明快な操作性を確保しつつ、測定基準点の位置指定を簡便かつ高精度に行うことが実現可能である。
【０１４５】
＜７．変形例等＞
以上に本発明の実施形態を説明したが、上述した開示内容は、本発明の例示的な実施形態を示すものである。すなわち、本発明の技術的範囲は、上述の例示的な実施形態に限定されるものではない。
【０１４６】
本実施形態では、ポインタ画像６０，７３，８３，８４，９３，９６が第一図形パターンと第二図形パターンのいずれかである場合を例に挙げたが、必ずしもこれに限定されることはなく、他の図形パターンを用いても構わないことは既に述べた通りである。
また、いずれの図形パターンのものであっても、ポインタ画像６０，７３，８３，８４，９３，９６は、少なくとも透過部６１を有して構成されたものであればよい。透過部６１を有していれば、背景画像が視認可能となるので、指定位置が正しいか否かを判別できるからである。ただし、本実施形態で説明したように、透過部６１に加えて輪郭部６２とガイド部６３とを有していることが望ましい。測定基準点の位置指定を、より一層簡便かつ高精度に行い得るようになるからである。
【０１４７】
本実施形態では、撮像段階において被検者の顔を上面（Ｓ１０２）、側面（Ｓ１０３）、正面（Ｓ１０４）の順で撮像する場合を例に挙げたが、撮像順がこれに限定されることはなく、必要に応じて適宜変更しても構わない。
また、本実施形態では、測定段階において各種眼鏡装用パラメータの測定をフレーム反り角β（Ｓ１０５）、角膜頂点間距離ＣＶＤ（Ｓ１０６）、フレーム前傾角α（Ｓ１０７）、レンズ縦幅（Ｓ１０８）、フィッティングポイント位置ＦＰ（Ｓ１０９）、瞳孔間距離ＰＤ（Ｓ１１０）の順で行う場合を例に挙げたが、少なくともフィッティングポイント位置ＦＰの測定に先立ってレンズ縦幅を測定していれば、他は限定されることなく、必要に応じて適宜変更しても構わない。
さらに、本実施形態では、撮像段階（Ｓ１０２〜Ｓ１０４）の後に測定段階（Ｓ１０５〜Ｓ１１１）を行う場合を例に挙げたが、この点についても適宜変更することが可能である。例えば、被検者の顔上面を撮像したらフレーム反り角βを測定し、その後、被検者の顔側面を撮像したら角膜頂点間距離ＣＶＤおよびフレーム前傾角αを測定し、さらにその後、被検者の顔正面を撮像したらフィッティングポイント位置ＦＰおよび瞳孔間距離ＰＤを測定するといったことも実現可能である。
【０１４８】
本実施形態では、撮像段階において、被検者の顔を上面、側面および正面の三方向の全てについて撮像する場合を例に挙げたが、必ずしもこれに限定されることはなく、不要な方向については撮像を省くようにしても構わない。
さらに、本実施形態では、測定段階において、眼鏡装用パラメータとしてフレーム反り角β、角膜頂点間距離ＣＶＤ、フレーム前傾角α、レンズ縦幅、フィッティングポイント位置ＦＰおよび瞳孔間距離ＰＤの全てについて測定する場合を例に挙げたが、必ずしもこれに限定されることはなく、不要な項目については測定を省くようにしても構わない。
【０１４９】
本実施形態では、各種眼鏡装用パラメータの測定を行う際にタブレット端末１と併せて測定補助具２０を用いて、その測定補助具２０の被撮像面２４に形成された基準パターンマーク２５を基に、被検者の顔をオート撮影する際のシャッター動作のタイミングを制御し、さらには実空間内での大きさと顔画像上での大きさとを関連付けるキャリブレーション（較正）を行う場合を例に挙げたが、必ずしもこれに限定されることはなく、測定補助具２０を利用しないで各種眼鏡装用パラメータの測定を行うようにしても構わない。
例えば、被検者の顔の撮影タイミング制御に関しては、被検者の顔上面、顔側面および顔正面のいずれについてもマニュアルで撮像を行うのであれば、測定補助具２０は不要である。
また、例えば、キャリブレーションに関しては、被検者の顔画像に含まれるいずれかの部位を予め実測しておき、その実測結果の寸法に基づいてキャリブレーションを行うようにすることも考えられ、このようにすれば測定補助具２０は不要である。
【０１５０】
また、測定補助具２０を利用する場合であっても、その測定補助具２０の被撮像面２４に形成された基準パターンマーク２５は、本実施形態で例に挙げたものに限定されることはなく、他の形状の図形を組み合わせたものであってもよい。すなわち、基準パターンマーク２５は、望ましくは被撮像面２４上にて二次元の各方向に延びる図形の組み合わせからなるものであれば、本実施形態で例に挙げたような矩形状の図形パターンによるものではなく、例えば三角形状または五角形以上の多角形状の図形パターンや離間した線分図形が組み合わされてなる図形パターン等であっても構わない。
【０１５１】
本実施形態では、基準パターンマーク２５とガイドパターンマーク４５，５５との大きさを合わせることを利用して撮像の際のピント合わせが行われる場合を例に挙げたが、必ずしもこれに限定されることはなく、例えばタブレット端末１の撮像カメラ部１１が有するオートフォーカス機能を利用してピント合わせを行うようにすることも考えられる。その場合に、撮像カメラ部１１は、オートシャッターを働かせる契機となる基準パターンマーク２５にピント合わせを行ってもよいし、撮像目的物である被検者の顔側面または顔正面にピント合わせを行ってもよい。また、基準パターンマーク２５にピント合わせを行った場合には、被検者の顔側面または顔正面についての撮像結果の鮮明化を図るために、その撮像結果に対して例えば超解像処理のような公知の画像処理技術を適用することも考えられる。
【０１５２】
本実施形態では、測定段階で各種眼鏡装用パラメータの測定を行う具体例を示した図１０〜図１４において、測定結果の具体的な数値を所定ウインドウ７５，８６，８７，９５，９７，９８内に表示しているが、この具体的な数値は単なる例示に過ぎない。つまり、その数値自体が特段の意味を持つものではなく、各被検者について測定を行う度に変わり得るものである。
【符号の説明】
【０１５３】
１…眼鏡装用パラメータ測定装置（タブレット端末）、１０…装置筐体、１１…撮像カメラ部、１２…表示画面部、１２ａ…操作部、１３…メモリ部、１４…情報処理部、１４ａ…撮像制御手段、１４ｂ…表示制御手段、１４ｃ…操作制御手段、１４ｄ…計測演算手段、２０…測定補助具、２４…被撮像面、２５…基準パターンマーク、６０，７３，８３，８４，９３，９６…ポインタ画像、６１…透過部、６２…輪郭部、６３…ガイド部、７１，８１，９１…グリッド画像、７４，８５，９４…部分拡大ウインドウ画像
【図１】
2015064700.tif 000003
【図３】
2015064700.tif 000004
【図４】
2015064700.tif 000005
【図５】
2015064700.tif 000006
【図２】
2015064700.tif 000007
【図６】
2015064700.tif 000008
【図７】
2015064700.tif 000009
【図８】
2015064700.tif 000010
【図９】
2015064700.tif 000011
【図１０】
2015064700.tif 000012
【図１１】
2015064700.tif 000013
【図１２】
2015064700.tif 000014
【図１３】
2015064700.tif 000015
【図１４】
2015064700.tif 000016